(57)【要約】  本発明は通信ネットワーク技術の分野に関し、セキュリティ・リスクがホーム・ネットワークに存在するという問題を解決するための方法およびネットワーク・モードを調節するための装置を開示する。本発明の諸実施形態において、所定の範囲内の個人識別情報が取得される。前記個人識別情報は前記所定の範囲内の全員の個人識別特徴を含み、ついで、前記個人識別特徴に従って、前記所定の範囲内に非家族構成員がいると判定したとき、ゲスト・モードが有効にされる。本発明の諸実施形態で提供する前記解決策はルータのモード調整に適用可能である。
2018501724.tif 000002
【特許請求の範囲】
【請求項１】
ネットワーク・モードを調節するための方法であって、前記方法はルータに適用され、前記方法は、
所定の範囲内の個人識別情報を取得するステップであって、前記個人識別情報は前記所定の範囲内の全員の個人識別特徴を含む、ステップと、
前記個人識別特徴に従って、前記所定の範囲内に非家族構成員がいると判定したとき、ゲスト・モードを有効にするステップと、
を含む、方法。
【請求項２】
所定の範囲内の個人識別情報を取得する前に、前記方法はさらに家族構成員識別特徴を格納するステップを含み、
前記個人識別特徴に従って、前記所定の範囲内に非家族構成員がいると判定したときゲスト・モードを有効にするステップは、
前記個人識別特徴を各家族構成員識別特徴と比較し各家族構成員識別特徴と異なる個人識別特徴が前記個人識別特徴に存在するとき、前記ゲスト・モードを有効にするステップ
を含む、請求項１に記載のネットワーク・モードを調節するための方法。
【請求項３】
所定の範囲内の個人識別情報を取得する前に、前記方法はさらに、
ホーム・デバイス情報を格納するステップを含み、前記ホーム・デバイス情報はホーム・アダルト・デバイス情報およびホーム・キッズ・デバイス情報を含む、請求項１または２に記載のネットワーク・モードを調節するための方法。
【請求項４】
前記個人識別特徴に従って、前記所定の範囲内に非家族構成員がいると判定したとき、ゲスト・モードを有効にした後、前記方法はさらに、
第１の要求を受信するステップであって、前記第１の要求はホーム・モードでネットワークにアクセスすることを申請した第１のデバイスに関する情報を含む、ステップと、
前記第１のデバイスに関する前記情報を前記ホーム・デバイス情報と比較するステップと、
前記第１のデバイスに関する前記情報が前記ホーム・デバイス情報に存在すると判定したとき、前記ホーム・モードで前記ネットワークにアクセスすることを申請した前記第１のデバイスが前記ホーム・モードで前記ネットワークにアクセスすることを許可するステップ、または
前記第１のデバイスに関する前記情報が前記ホーム・デバイス情報に存在しないと判定したとき、前記ホーム・モードで前記ネットワークにアクセスすることを申請した前記第１のデバイスが前記ホーム・モードで前記ネットワークにアクセスすることを禁止するステップと、
を含む、請求項３に記載のネットワーク・モードを調節するための方法。
【請求項５】
前記家族構成員識別特徴は家族アダルト識別特徴および家族キッズ識別特徴を含み、所定の範囲内の全ての個人識別情報を取得した後、前記方法はさらに、
前記個人識別特徴を各家族構成員識別特徴と比較し前記家族キッズ識別特徴が前記個人識別特徴に存在するとき、キッズ・モードを有効にするステップであって、前記キッズ・モードは所定のネットワークおよびアプリケーションのみにアクセスできるモードである、ステップ
を含む、請求項２乃至４の何れか１項に記載のネットワーク・モードを調節するための方法。
【請求項６】
前記第１のデバイスに関する前記情報を前記ホーム・デバイス情報と比較した後、前記方法はさらに、
前記第１のデバイスに関する前記情報が前記ホーム・アダルト・デバイス情報に存在すると判定したとき、前記ホーム・モードで前記ネットワークにアクセスすることを申請した前記第１のデバイスが前記ホーム・モードで前記ネットワークにアクセスすることを許可するステップと、
前記第１のデバイスに関する前記情報が前記ホーム・キッズ・デバイス情報に存在すると判定したとき、前記ホーム・モードで前記ネットワークにアクセスすることを申請した前記第１のデバイスが前記キッズ・モードで前記ネットワークにアクセスすると指定するステップ、または
前記第１のデバイスに関する前記情報が前記ホーム・デバイス情報に存在せず、前記ホーム・キッズ・デバイス情報に存在しないと判定したとき、前記ホーム・モードで前記ネットワークにアクセスすることを申請した前記第１のデバイスが前記ホーム・モードで前記ネットワークにアクセスすることを禁止するステップ
を含む、請求項５に記載のネットワーク・モードを調節するための方法。
【請求項７】
前記個人識別特徴を各家族構成員識別特徴と比較し、前記キッズ識別特徴が前記個人識別特徴に存在するときキッズ・モードを有効にした後、前記方法はさらに、
第２の要求を受信するステップであって、前記第２の要求は前記ゲスト・モードで前記ネットワークにアクセスすることを申請した第２のデバイスに関する情報を含む、ステップと、
前記第２のデバイスに関する前記情報を前記キッズ・デバイス情報と比較するステップと、
前記第２のデバイスに関する前記情報が前記キッズ・デバイス情報と同じであると判定したとき、前記第２の要求を申請した前記第２のデバイスが前記キッズ・モードで前記ネットワークにアクセスすることを指定するステップ、または
前記第２のデバイスに関する前記情報が前記キッズ・デバイス情報と異なると判定したとき、前記第２の要求を申請した前記第２のデバイスが前記ゲスト・モードで前記ネットワークにアクセスすることを許可するステップと、
を含む、請求項５または６に記載のネットワーク・モードを調節するための方法。
【請求項８】
前記所定の範囲内の前記個人識別情報はさらに所定期間における前記所定の範囲内の人数を含み、前記所定の範囲内の個人識別情報を取得した後、前記方法はさらに、
前記人数が第１の人数所定値以上であるとき第１の送信電力を有効にするステップと、
前記人数が前記第１の人数所定値より小さく、第２の人数所定値より大きいとき、第２の送信電力を有効にするステップ、または
前記人数が第３の人数所定値より小さいとき、第３の送信電力を有効にするステップと、
を含む、請求項１乃至７の何れか１項に記載のネットワーク・モードを調節するための方法。
【請求項９】
前記方法はさらに、
前記ルータを用いて前記ネットワークにアクセスするデバイスの数を検出するステップと、
前記デバイスの数が第１のデバイス所定値以上であるとき、第１の送信電力を有効にするステップと、
前記デバイスの数が前記第１のデバイス所定値より小さく、第２のデバイス所定値より大きいとき、第２の送信電力を有効にするステップ、または
前記デバイスの数が第３のデバイス所定値以下であるとき、第３の送信電力を有効にするステップと、
を含む、請求項１乃至７の何れか１項に記載のネットワーク・モードを調節するための方法。
【請求項１０】
ネットワーク・モードを調節するための装置であって、前記装置はルータに適用され、
所定の範囲内の個人識別情報を取得するように構成された取得ユニットであって、前記個人識別情報は前記所定の範囲内の全員の個人識別特徴を含む、取得ユニットと、
前記取得ユニットにより取得された前記個人識別特徴に従って、前記所定の範囲内に非家族構成員がいると判定したとき、ゲスト・モードを有効にするように構成された有効化ユニットと、
を備える、装置。
【請求項１１】
前記装置はさらに記憶ユニットを備え、
前記記憶ユニットは家族構成員識別特徴を格納するように構成され、
前記有効化ユニットはさらに、前記取得ユニットにより取得された前記個人識別特徴を前記記憶ユニットに格納された各家族構成員識別特徴と比較し、前記各家族構成員識別特徴と異なる個人識別特徴が前記個人識別特徴に存在するとき、前記ゲスト・モードを有効にするように構成される、
請求項１０に記載のネットワーク・モードを調節するための装置。
【請求項１２】
前記記憶ユニットはさらにホーム・デバイス情報を格納するように構成され、前記ホーム・デバイス情報はホーム・アダルト・デバイス情報およびホーム・キッズ・デバイス情報を含む、請求項１０または１１に記載のネットワーク・モードを調節するための装置。
【請求項１３】
前記装置はさらに、受信ユニット、比較ユニット、および認証ユニットを備え、
前記受信ユニットは前記有効化ユニットが前記ゲスト・モードを有効にした後、第１の要求を受信するように構成され、前記第１の要求はホーム・モードでネットワークにアクセスすることを申請した第１のデバイスに関する情報を含み、
前記比較ユニットは前記第１のデバイスに関する前記情報を前記記憶ユニットに格納された前記ホーム・デバイス情報を比較するように構成され、
前記認証ユニットは、前記第１のデバイスに関する前記情報が前記ホーム・デバイス情報に存在すると判定したとき、前記ホーム・モードで前記ネットワークにアクセスすることを申請した前記第１のデバイスが前記ホーム・モードで前記ネットワークにアクセスすることを許可し、または前記第１のデバイスに関する前記情報が前記ホーム・デバイス情報に存在しないと判定したとき、前記ホーム・モードで前記ネットワークにアクセスすることを申請した前記第１のデバイスが前記ホーム・モードで前記ネットワークにアクセスすることを禁止するように構成される、
請求項１２に記載のネットワーク・モードを調節するための装置。
【請求項１４】
前記家族構成員識別特徴は家族アダルト識別特徴および家族キッズ識別特徴を含み、
前記有効化ユニットはさらに、前記取得ユニットにより取得された前記個人識別特徴を前記記憶ユニットに格納された各家族構成員識別特徴と比較し、前記キッズ識別特徴が前記個人識別特徴に存在するとき、キッズ・モードを有効にするように構成され、前記キッズ・モードは所定のネットワークおよびアプリケーションのみにアクセスできるモードである、
請求項１１乃至１３の何れか１項に記載のネットワーク・モードを調節するための装置。
【請求項１５】
前記認証ユニットはさらに、前記第１のデバイスに関する前記情報が前記ホーム・アダルト・デバイス情報に存在すると判定したとき、前記ホーム・モードで前記ネットワークにアクセスすることを申請した前記第１のデバイスが前記ホーム・モードで前記ネットワークにアクセスすることを許可し、前記第１のデバイスに関する前記情報が前記ホーム・キッズ・デバイス情報に存在すると判定したとき、前記ホーム・モードで前記ネットワークにアクセスすることを申請した前記第１のデバイスが前記キッズ・モードで前記ネットワークにアクセスすると指定するか、または、前記第１のデバイスに関する前記情報が前記ホーム・アダルト・デバイス情報に存在せず、前記ホーム・キッズ・デバイス情報に存在しないと判定したとき、前記ホーム・モードで前記ネットワークにアクセスすることを申請した前記第１のデバイスが前記ホーム・モードで前記ネットワークにアクセスすることを禁止するように構成される、請求項１４に記載のネットワーク・モードを調節するための装置。
【請求項１６】
前記受信ユニットはさらに、前記有効化ユニットが前記キッズ・モードを有効にした後、第２の要求を受信するように構成され、前記第２の要求は前記ゲスト・モードで前記ネットワークにアクセスすることを申請した第２のデバイスに関する情報を含み、
前記比較ユニットはさらに、前記第２のデバイスに関する前記情報を前記キッズ・デバイス情報と比較するように構成され、
前記認証ユニットはさらに、前記第２のデバイスに関する前記情報が前記キッズ・デバイス情報と同じであると判定したとき、前記第２の要求を申請した前記第２のデバイスが前記キッズ・モードで前記ネットワークにアクセスすると指定し、または前記第２のデバイスに関する前記情報が前記キッズ・デバイス情報と異なると判定したとき、前記第２の要求を申請した前記第２のデバイスが前記ゲスト・モードで前記ネットワークにアクセスすることを許可するように構成される、
請求項１４または１５に記載のネットワーク・モードを調節するための装置。
【請求項１７】
前記所定の範囲内の前記個人識別情報はさらに所定期間における前記所定の範囲内の人数を含み、
前記装置はさらに、第１の電力有効化ユニットを備え、
前記第１の電力有効化ユニットは、前記人数が第１の人数所定値以上であるとき、第１の送信電力を有効にし、前記人数が前記第１の人数所定値より小さく、第２の人数所定値より大きいとき、第２の送信電力を有効にし、または前記人数が第３の人数所定値以下であるとき、第３の送信電力を有効にするように構成される、
請求項１０乃至１６の何れか１項に記載のネットワーク・モードを調節するための装置。
【請求項１８】
前記装置はさらに検出ユニットおよび第２の電力有効化ユニットを備え、
前記検出ユニットは前記ルータを用いて前記ネットワークにアクセスするデバイスの数を検出するように構成され、
前記第２の電力有効化ユニットは、前記デバイスの数が第１のデバイス所定値以上であるとき、第１の送信電力を有効にし、前記デバイスの数が前記第１のデバイス所定値より小さく、第２のデバイス所定値より大きいとき、第２の送信電力を有効にし、または前記デバイスの数が第３のデバイス所定値以下であるとき、第３の送信電力を有効にするように構成される、
請求項１０乃至１６の何れか１項に記載のネットワーク・モードを調節するための装置。
【請求項１９】
ネットワーク・モードを調節するための装置であって、前記装置はルータに適用され、前記方法は、
プログラム命令を含む情報を格納するように構成されたメモリと、
所定の範囲内の個人識別情報を取得するように構成された受信器であって、前記個人識別情報は前記所定の範囲内の全員の個人識別特徴を含む、受信器と、
前記メモリおよび前記受信器に接続され、前記プログラム命令の実行を制御するように構成され、特に、前記個人識別特徴に従って、前記所定の範囲内に非家族構成員がいると判定したとき、ゲスト・モードを有効にするように構成されたプロセッサと、
を備える、装置。
【請求項２０】
前記メモリはさらに家族構成員識別特徴を格納するように構成され、
前記プロセッサはさらに、前記個人識別特徴を各家族構成員識別特徴と比較し、各家族構成員識別特徴と異なる個人識別特徴が前記個人識別特徴に存在するとき、前記ゲスト・モードを有効にするように構成される、
請求項１９に記載のネットワーク・モードを調節するための装置。
【請求項２１】
前記メモリはさらにホーム・デバイス情報を格納するように構成され、前記ホーム・デバイス情報はホーム・アダルト・デバイス情報およびホーム・キッズ・デバイス情報を含む、請求項１９または２０に記載のネットワーク・モードを調節するための装置。
【請求項２２】
前記受信器はさらに第１の要求を受信するように構成され、前記第１の要求はホーム・モードでネットワークにアクセスすることを申請した第１のデバイスに関する情報を含み、
前記プロセッサはさらに、前記第１のデバイスに関する前記情報を前記ホーム・デバイス情報と比較し、前記第１のデバイスに関する前記情報が前記ホーム・デバイス情報に存在すると判定したとき、前記ホーム・モードで前記ネットワークにアクセスすることを申請した前記第１のデバイスが前記ホーム・モードで前記ネットワークにアクセスすることを許可し、または前記第１のデバイスに関する前記情報が前記ホーム・デバイス情報に存在しないと判定したとき、前記ホーム・モードで前記ネットワークにアクセスすることを申請した前記第１のデバイスが前記ホーム・モードで前記ネットワークにアクセスすることを禁止するように構成される、
請求項２１に記載のネットワーク・モードを調節するための装置。
【請求項２３】
前記家族構成員識別特徴は家族アダルト識別特徴および家族キッズ識別特徴を含み、
前記プロセッサはさらに、前記個人識別特徴を各家族構成員識別特徴と比較し、前記キッズ識別特徴が前記個人識別特徴に存在するとき、キッズ・モードを有効にするように構成され、前記キッズ・モードは所定のネットワークおよびアプリケーションのみにアクセスできるモードである、
請求項２０乃至２２の何れか１項に記載のネットワーク・モードを調節するための装置。
【請求項２４】
前記プロセッサはさらに、前記第１のデバイスに関する前記情報を前記ホーム・デバイス情報と比較した後、前記第１のデバイスに関する前記情報が前記ホーム・アダルト・デバイス情報に存在すると判定したとき、前記ホーム・モードで前記ネットワークにアクセスすることを申請した前記第１のデバイスが前記ホーム・モードで前記ネットワークにアクセスすることを許可し、前記第１のデバイスに関する前記情報が前記ホーム・キッズ・デバイス情報に存在すると判定したとき、前記ホーム・モードで前記ネットワークにアクセスすることを申請した前記第１のデバイスが前記キッズ・モードで前記ネットワークにアクセスすると指定するか、または、前記第１のデバイスに関する前記情報が前記ホーム・アダルト・デバイス情報に存在せず、前記ホーム・キッズ・デバイス情報に存在しないと判定したとき、前記ホーム・モードで前記ネットワークにアクセスすることを申請した前記第１のデバイスが前記ホーム・モードで前記ネットワークにアクセスすることを禁止するように構成される、請求項２３に記載のネットワーク・モードを調節するための装置。
【請求項２５】
前記受信器はさらに第２の要求を受信するように構成され、前記第２の要求は前記ゲスト・モードで前記ネットワークにアクセスすることを申請した第２のデバイスに関する情報を含み、
前記プロセッサはさらに、前記第２のデバイスに関する前記情報を前記キッズ・デバイス情報と比較し、前記第２のデバイスに関する前記情報が前記キッズ・デバイス情報と同じであると判定したとき、前記第２の要求を申請した前記第２のデバイスが前記キッズ・モードで前記ネットワークにアクセスすると指定し、または前記第２のデバイスに関する前記情報が前記キッズ・デバイス情報と異なると判定したとき、前記第２の要求を申請した前記第２のデバイスが前記ゲスト・モードで前記ネットワークにアクセスすることを許可するように構成される、
請求項２３または２４に記載のネットワーク・モードを調節するための装置。
【請求項２６】
前記所定の範囲内の前記個人識別情報はさらに所定期間における前記所定の範囲内の人数を含み、
前記プロセッサはさらに、前記人数が第１の人数所定値以上であるとき、第１の送信電力を有効にし、前記人数が前記第１の人数所定値より小さく、第２の人数所定値より大きいとき、第２の送信電力を有効にし、または前記人数が第３の人数所定値以下であるとき、第３の送信電力を有効にするように構成される、
請求項１９乃至２５の何れか１項に記載のネットワーク・モードを調節するための装置。
【請求項２７】
前記プロセッサはさらに、前記ルータを用いて前記ネットワークにアクセスするデバイスの数を検出し、前記デバイスの数が第１のデバイス所定値以上であるとき、第１の送信電力を有効にし、前記デバイスの数が前記第１のデバイス所定値より小さく第２の所定値より大きいとき、第２の送信電力を有効にし、または、前記デバイスの数が第３のデバイス所定値以下であるとき、第３の送信電力を有効にするように構成される、
請求項１９乃至２５の何れか１項に記載のネットワーク・モードを調節するための装置。
【請求項２８】
コンピュータ・プログラム・コードを含み、計算ユニットが前記コンピュータ・プログラム・コードを実行したとき、前記計算ユニットは請求項１乃至９の何れか１項に記載の動作を実行する、コンピュータ・プログラム製品。
【発明の詳細な説明】
【技術分野】
【０００１】
本発明は通信ネットワーク技術の分野に関し、特に、ネットワーク・モードを調節するための方法および装置に関する。
【背景技術】
【０００２】
無線ネットワーク技術の高速な発展とともに、ルータがより広く家で使用され、ルータはインターネットにおいてローカル・エリア・ネットワークと広域ネットワークに接続されたデバイスである。ルータが家で使用されるとき、ルータは主にネットワーク信号を送信するために使用され、その結果、モバイル端末はルータにより送信されたネットワーク信号を用いることによってネットワークにアクセスすることができる。先行技術では、ルータのモードをホーム・モードおよびゲスト・モードに分類することができる。ホーム・モードでルータにアクセスするデバイスがルータの構成情報を修正してもよく、ルータの構成情報は、ルータのアクセス許可、ルータにアクセスするためのパスワード等を含む。ゲスト・モードでルータにアクセスするデバイスがホーム・ネットワークのセキュリティを保つためにルータの構成情報を修正できず、訪問者がいるとき、家族構成員は、手動でルータのゲスト・モードを有効にするかもしれない。
【０００３】
しかし、家族構成員が手動でゲスト・モードを有効にしないとき、ゲスト・デバイスがホーム・モードでルータにアクセスするかもしれず、この場合、ゲスト・デバイスはルータの構成情報を修正する能力を有する。したがって、ゲスト・モードが適切に有効にされない場合、依然としてホーム・ネットワークに大きなセキュリティ・リスクがある。
【発明の概要】
【課題を解決するための手段】
【０００４】
本発明の諸実施形態は、セキュリティ・リスクがホーム・ネットワークに存在するという問題を解決するためのネットワーク・モードを調節するための方法および装置を提供する。
【０００５】
第１の態様によれば、本発明の１実施形態はネットワーク・モードを調節するための方法を提供する。当該方法はルータに適用され、当該方法は、
所定の範囲内の個人識別情報を取得するステップであって、当該個人識別情報は当該所定の範囲内の全員の個人識別特徴を含む、ステップと、 
当該個人識別特徴に従って、当該所定の範囲内に非家族構成員がいると判定したとき、ゲスト・モードを有効にするステップと、
を含む。
【０００６】
第１の態様によれば、第１の可能な実施形態では、所定の範囲内の個人識別情報を取得する前に、当該方法はさらに、
家族構成員識別特徴を格納するステップ
を含み、
当該個人識別特徴に従って、当該所定の範囲内に非家族構成員がいると判定したとき、ゲスト・モードを有効にするステップは、
当該個人識別特徴を各家族構成員識別特徴と比較し、各家族構成員識別特徴と異なる個人識別特徴が当該個人識別特徴に存在するとき、ゲスト・モードを有効にするステップ
を含む。
【０００７】
第１の態様または第１の態様の第１の可能な実施形態を参照して、第２の可能な実施形態では、所定の範囲内の個人識別情報を取得する前に、当該方法はさらに、
ホーム・デバイス情報を格納するステップであって、当該ホーム・デバイス情報は、ホーム・アダルト・デバイス情報およびホーム・キッズ・デバイス情報を含む、ステップ
を含む。
【０００８】
第１の態様の第２の可能な実施形態を参照して、第３の可能な実施形態では、当該個人識別特徴に従って、当該所定の範囲内に非家族構成員がいると判定したとき、ゲスト・モードを有効にした後、当該方法はさらに、
第１の要求を受信するステップであって、第１の要求はホーム・モードでネットワークにアクセスすることを申請した第１のデバイスに関する情報を含む、ステップと、
第１のデバイスに関する情報を当該ホーム・デバイス情報と比較するステップと、
第１のデバイスに関する情報がホーム・デバイス情報に存在すると判定したとき、ホーム・モードでネットワークにアクセスすることを申請した第１のデバイスがホーム・モードでネットワークにアクセスすることを許可するステップ、または
第１のデバイスに関する情報がホーム・デバイス情報に存在しないと判定したとき、ホーム・モードでネットワークにアクセスすることを申請した第１のデバイスがホーム・モードでネットワークにアクセスすることを禁止するステップと、
を含む。
【０００９】
第１の態様の第１の可能な実施形態乃至第３の可能な実施形態の何れか１つを参照して、第４の可能な実施形態では、家族構成員識別特徴は家族アダルト識別特徴および家族キッズ識別特徴を含み、所定の範囲内の全ての個人識別情報を取得した後、当該方法はさらに、
当該個人識別特徴を各家族構成員識別特徴と比較し、当該キッズ識別特徴が当該個人識別特徴に存在するとき、キッズ・モードを有効にするステップであって、キッズ・モードは所定のネットワークおよびアプリケーションのみにアクセスできるモードである、ステップ
を含む。
【００１０】
第１の態様の第４の可能な実施形態を参照して、第５の可能な実施形態では、第１のデバイスに関する情報を当該ホーム・デバイス情報と比較した後、当該方法はさらに、
第１のデバイスに関する情報がホーム・アダルト・デバイス情報に存在すると判定したとき、ホーム・モードでネットワークにアクセスすることを申請した第１のデバイスがホーム・モードでネットワークにアクセスすることを許可するステップと、
第１のデバイスに関する情報がホーム・キッズ・デバイス情報に存在すると判定したとき、ホーム・モードでネットワークにアクセスすることを申請した第１のデバイスがキッズ・モードでネットワークにアクセスすると指定するステップ、または
第１のデバイスに関する情報がホーム・デバイス情報に存在せず、ホーム・キッズ・デバイス情報に存在しないと判定したとき、ホーム・モードでネットワークにアクセスすることを申請した第１のデバイスが、ホーム・モードでネットワークにアクセスすることを禁止するステップと、
を含む。
【００１１】
第１の態様の第４の可能な実施形態または第１の態様の第５の可能な実施形態を参照して、第６の可能な実施形態では、当該個人識別特徴を各家族構成員識別特徴と比較した後、当該キッズ識別特徴が当該個人識別特徴に存在するとき、キッズ・モードを有効にした後、当該方法はさらに、
第２の要求を受信するステップであって、第２の要求はゲスト・モードでネットワークにアクセスすることを申請した第２のデバイスに関する情報を含む、ステップと、
第２のデバイスに関する情報を当該キッズ・デバイス情報と比較するステップと、
第２のデバイスに関する情報が当該キッズ・デバイス情報と同じであると判定したとき、第２の要求を申請した第２のデバイスがキッズ・モードでネットワークにアクセスすることを指定するステップ、または
第２のデバイスに関する情報が当該キッズ・デバイス情報と異なると判定したとき、第２の要求を申請した第２のデバイスがゲスト・モードでネットワークにアクセスすることを許可するステップと、
を含む。
【００１２】
第１の態様または第１の態様の上述の可能な実施形態の何れか１つを参照して、第７の可能な実施形態では、当該所定の範囲内の当該個人識別情報はさらに所定期間における当該所定の範囲内の人数を含み、当該所定の範囲内の個人識別情報を取得した後、当該方法はさらに、
当該人数が第１の人数所定値以上であるとき、第１の送信電力を有効にするステップと、
当該人数が第１の人数所定値より小さく、第２の人数所定値より大きいとき、第２の送信電力を有効にするステップ、または
当該人数が第３の人数所定値より小さいとき、第３の送信電力を有効にするステップと、
を含む。
【００１３】
第１の態様または第１の態様の第１の可能な実施形態乃至第６の可能な実施形態の何れか１つを参照して、第８の可能な実施形態では、当該方法はさらに、
ルータを用いてネットワークにアクセスするデバイスの数を検出するステップと、
当該デバイスの数が第１のデバイス所定値以上であるとき、第１の送信電力を有効にするステップと、
当該デバイスの数が第１のデバイス所定値より小さく、第２のデバイス所定値より大きいとき、第２の送信電力を有効にするステップ、または
当該デバイスの数が第３のデバイス所定値以下であるとき、第３の送信電力を有効にするステップと、
を含む。
【００１４】
第２の態様によれば、本発明の１実施形態はネットワーク・モードを調節するための装置を提供する。当該装置はルータに適用され、当該装置は、
所定の範囲内の個人識別情報を取得するように構成された取得ユニットであって、当該個人識別情報は当該所定の範囲内の全員の個人識別特徴を含む、取得ユニットと、
当該取得ユニットにより取得された個人識別特徴に従って、当該所定の範囲内に非家族構成員がいると判定したとき、ゲスト・モードを有効にするように構成された有効化ユニットと、
を備える。
【００１５】
第２の態様を参照して、第１の可能な実施形態では、当該装置はさらに記憶ユニットを備え、
当該記憶ユニットは家族構成員識別特徴を格納するように構成され、
当該有効化ユニットはさらに、当該取得ユニットにより取得された個人識別特徴を当該記憶ユニットに格納された各家族構成員識別特徴と比較し、当該各家族構成員識別特徴と異なる個人識別特徴が当該個人識別特徴に存在するとき、ゲスト・モードを有効にするように構成される。
【００１６】
第２の態様または第２の態様の第１の可能な実施形態を参照して、第２の可能な実施形態では、
当該記憶ユニットはさらに、ホーム・デバイス情報を格納するように構成され、当該ホーム・デバイス情報は、ホーム・アダルト・デバイス情報およびホーム・キッズ・デバイス情報を含む。
【００１７】
第２の態様の第２の可能な実施形態を参照して、第３の可能な実施形態では、当該装置はさらに、受信ユニット、比較ユニット、および認証ユニットを備え、
当該受信ユニットは、当該有効化ユニットがゲスト・モードを有効にした後、第１の要求を受信するように構成され、第１の要求はホーム・モードでネットワークにアクセスすることを申請した第１のデバイスに関する情報を含み、
当該比較ユニットは第１のデバイスに関する情報を当該記憶ユニットに格納されたホーム・デバイス情報を比較するように構成され、
当該認証ユニットは、第１のデバイスに関する情報がホーム・デバイス情報に存在すると判定したとき、ホーム・モードでネットワークにアクセスすることを申請した第１のデバイスがホーム・モードでネットワークにアクセスすることを許可するか、または、第１のデバイスに関する情報がホーム・デバイス情報に存在しないと判定したとき、ホーム・モードでネットワークにアクセスすることを申請した第１のデバイスがホーム・モードでネットワークにアクセスすることを禁止するように構成される。
【００１８】
第２の態様の第１の可能な実施形態乃至第３の可能な実施形態の何れか１つを参照して、第４の可能な実施形態では、家族構成員識別特徴は家族アダルト識別特徴および家族キッズ識別特徴を含み、
当該有効化ユニットはさらに、当該取得ユニットにより取得された個人識別特徴を当該記憶ユニットに格納された各家族構成員識別特徴と比較し、当該キッズ識別特徴が当該個人識別特徴に存在するとき、キッズ・モードを有効にするように構成され、キッズ・モードは所定のネットワークおよびアプリケーションのみにアクセスできるモードである。
【００１９】
第２の態様の第４の可能な実施形態を参照して、第５の可能な実施形態では、
当該認証ユニットはさらに、第１のデバイスに関する情報がホーム・アダルト・デバイス情報に存在すると判定したとき、ホーム・モードでネットワークにアクセスすることを申請した第１のデバイスがホーム・モードでネットワークにアクセスすることを許可し、第１のデバイスに関する情報がホーム・キッズ・デバイス情報に存在すると判定したとき、ホーム・モードでネットワークにアクセスすることを申請した第１のデバイスがキッズ・モードでネットワークにアクセスすると指定するか、または、第１のデバイスに関する情報がホーム・アダルト・デバイス情報に存在せず、ホーム・キッズ・デバイス情報に存在しないと判定したとき、ホーム・モードでネットワークにアクセスすることを申請した第１のデバイスがホーム・モードでネットワークにアクセスすることを禁止するように構成される。
【００２０】
第２の態様の第４の可能な実施形態または第２の態様の第５の可能な実施形態を参照して、第６の可能な実施形態では、
当該受信ユニットはさらに、当該有効化ユニットがキッズ・モードを有効にした後、第２の要求を受信するように構成され、第２の要求はゲスト・モードでネットワークにアクセスすることを申請した第２のデバイスに関する情報を含み、
当該比較ユニットはさらに、第２のデバイスに関する情報を当該キッズ・デバイス情報と比較するように構成され、
当該認証ユニットはさらに、第２のデバイスに関する情報が当該キッズ・デバイス情報と同じであると判定したとき、第２の要求を申請した第２のデバイスがキッズ・モードでネットワークにアクセスすると指定するか、または、第２のデバイスに関する情報が当該キッズ・デバイス情報と異なると判定したとき、第２の要求を申請した第２のデバイスがゲスト・モードでネットワークにアクセスすることを許可するように構成される。
【００２１】
第２の態様または第２の態様の上述の可能な実施形態の何れか１つを参照して、第７の可能な実施形態では、当該所定の範囲内の当該個人識別情報はさらに所定期間における当該所定の範囲内の人数を含み、
当該装置はさらに、第１の電力有効化ユニットを備え、
第１の電力有効化ユニットは、当該人数が第１の人数所定値以上であるとき、第１の送信電力を有効にし、当該人数が第１の人数所定値より小さく、第２の人数所定値より大きいとき、第２の送信電力を有効にするか、または、当該人数が第３の人数所定値以下であるとき、第３の送信電力を有効にするように構成される。
【００２２】
第２の態様または第２の態様の第１の可能な実施形態乃至第６の可能な実施形態の何れか１つを参照して、第８の可能な実施形態では、当該装置はさらに検出ユニットおよび第２の電力有効化ユニットを備え、
当該検出ユニットはルータを用いてネットワークにアクセスするデバイスの数を検出するように構成され、
第２の電力有効化ユニットは、当該デバイスの数が第１のデバイス所定値以上であるとき、第１の送信電力を有効にし、当該デバイスの数が第１のデバイス所定値より小さく、第２のデバイス所定値より大きいとき、第２の送信電力を有効にし、または当該デバイスの数が第３のデバイス所定値以下であるとき、第３の送信電力を有効にするように構成される。
【００２３】
第３の態様によれば、本発明の１実施形態はネットワーク・モードを調節するための装置を提供する。当該装置はルータに適用され、当該装置は、
プログラム命令を含む情報を格納するように構成されたメモリと、
所定の範囲内の個人識別情報を取得するように構成された受信器であって、当該個人識別情報は当該所定の範囲内の全員の個人識別特徴を含む、受信器と、
当該メモリおよび当該受信器に接続され、当該プログラム命令の実行を制御するように構成され、特に当該個人識別特徴に従って、当該所定の範囲内に非家族構成員がいると判定したとき、ゲスト・モードを有効にするように構成されたプロセッサと、
を備える。
【００２４】
第３の態様によれば、第１の可能な実施形態では、
当該メモリはさらに、家族構成員識別特徴を格納するように構成され、
当該プロセッサはさらに、当該個人識別特徴を各家族構成員識別特徴と比較し、各家族構成員識別特徴と異なる個人識別特徴が当該個人識別特徴に存在するとき、ゲスト・モードを有効にするように構成される。
【００２５】
第３の態様の第１の可能な実施形態を参照して、第２の可能な実施形態では、
当該メモリはさらに、ホーム・デバイス情報を格納するように構成され、当該ホーム・デバイス情報は、ホーム・アダルト・デバイス情報およびホーム・キッズ・デバイス情報を含む。
【００２６】
第３の態様の第２の可能な実施形態を参照して、第３の可能な実施形態では、
当該受信器はさらに、第１の要求を受信するように構成され、第１の要求はホーム・モードでネットワークにアクセスすることを申請した第１のデバイスに関する情報を含み、
当該プロセッサはさらに、第１のデバイスに関する情報を当該ホーム・デバイス情報と比較し、第１のデバイスに関する情報がホーム・デバイス情報に存在すると判定したとき、ホーム・モードでネットワークにアクセスすることを申請した第１のデバイスがホーム・モードでネットワークにアクセスすることを許可し、または第１のデバイスに関する情報がホーム・デバイス情報に存在しないと判定したとき、ホーム・モードでネットワークにアクセスすることを申請した第１のデバイスがホーム・モードでネットワークにアクセスすることを禁止するように構成される。
【００２７】
第３の態様の第１の可能な実施形態乃至第３の可能な実施形態の何れか１つを参照して、第４の可能な実施形態では、家族構成員識別特徴は家族アダルト識別特徴および家族キッズ識別特徴を含み、
当該プロセッサはさらに、当該受信器により受信された個人識別特徴を当該メモリに格納された各家族構成員識別特徴と比較し、当該キッズ識別特徴が当該個人識別特徴に存在するとき、キッズ・モードを有効にするように構成され、キッズ・モードは所定のネットワークおよびアプリケーションのみにアクセスできるモードである。
【００２８】
第３の態様の第４の可能な実施形態を参照して、第５の可能な実施形態では、
当該プロセッサはさらに、第１のデバイスに関する情報を当該ホーム・デバイス情報と比較した後、第１のデバイスに関する情報がホーム・アダルト・デバイス情報に存在すると判定したとき、ホーム・モードでネットワークにアクセスすることを申請した第１のデバイスがホーム・モードでネットワークにアクセスすることを許可し、第１のデバイスに関する情報がホーム・キッズ・デバイス情報に存在すると判定したとき、ホーム・モードでネットワークにアクセスすることを申請した第１のデバイスがキッズ・モードでネットワークにアクセスすると指定するか、または、第１のデバイスに関する情報がホーム・アダルト・デバイス情報に存在せず、ホーム・キッズ・デバイス情報に存在しないと判定したとき、ホーム・モードでネットワークにアクセスすることを申請した第１のデバイスがホーム・モードでネットワークにアクセスすることを禁止するように構成される。
【００２９】
第３の態様の第４の可能な実施形態または第３の態様の第５の可能な実施形態を参照して、第６の可能な実施形態では、
当該受信器はさらに、第２の要求を受信するように構成され、第２の要求はゲスト・モードでネットワークにアクセスすることを申請した第２のデバイスに関する情報を含み、
当該プロセッサはさらに、第２のデバイスに関する情報を当該キッズ・デバイス情報と比較するように構成され、第２のデバイスに関する情報が当該キッズ・デバイス情報と同じであると判定したとき、第２の要求を申請した第２のデバイスがキッズ・モードでネットワークにアクセスすると指定するか、または、第２のデバイスに関する情報が当該キッズ・デバイス情報と異なると判定したとき、第２の要求を申請した第２のデバイスがゲスト・モードでネットワークにアクセスすることを許可する。
【００３０】
第３の態様または第３の態様の上述の可能な実施形態の何れか１つを参照して、第７の可能な実施形態では、当該所定の範囲内の当該個人識別情報はさらに所定期間における当該所定の範囲内の人数を含み、
当該プロセッサはさらに、当該人数が第１の人数所定値以上であるとき、第１の送信電力を有効にし、当該人数が第１の人数所定値より小さく、第２の人数所定値より大きいとき、第２の送信電力を有効にするか、または、当該人数が第３の人数所定値以下であるとき、第３の送信電力を有効にするように構成される。
【００３１】
第３の態様または第３の態様の第１の可能な実施形態乃至第６の可能な実施形態の何れか１つを参照して、第８の可能な実施形態では、
当該プロセッサはさらに、ルータを用いてネットワークにアクセスするデバイスの数を検出し、当該デバイスの数が第１のデバイス所定値以上であるとき、第１の送信電力を有効にし、当該デバイスの数が第１のデバイス所定値より小さく第２の所定値より大きいとき、第２の送信電力を有効にし、または当該デバイスの数が第３のデバイス所定値以下であるとき、第３の送信電力を有効にするように構成される。
【００３２】
第４の態様によれば、本発明の１実施形態はコンピュータ・プログラム・コードを含むコンピュータ・プログラム製品を提供する。計算ユニットが当該コンピュータ・プログラム・コードを実行したとき、当該計算ユニットは動作第１の態様または第１の態様の第１の可能な実施形態乃至第８の可能な実施形態の何れか１つに従う動作を実行する。
【００３３】
本発明の諸実施形態で提供するネットワーク・モードを調節するための方法および装置によれば、所定の範囲内の個人識別情報が取得され、当該個人識別情報は当該所定の範囲内の全員の個人識別特徴を含み、ついで、当該個人識別特徴に従って、当該所定の範囲内に非家族構成員がいると判定したとき、ゲスト・モードが有効にされる。ゲスト・モードを手動でのみ有効にできる先行技術と比較すると、本発明では、個人識別特徴を認識でき、非家族構成員が所定の範囲内にあると判定されたとき、ゲスト・モードが自動的に有効にされる。ゲスト・モードはリアルタイムに有効にされるので、ゲスト・デバイスはゲスト・モードでのみネットワークにアクセスでき、ホーム・ネットワークのセキュリティを確保することができる。
【００３４】
本発明の諸実施形態または先行技術における技術的解決策をより明確に説明するために、以下では当該実施形態または先行技術を説明するために必要な添付図面を簡単に説明する。明らかに、以下の説明における添付図面は本発明の幾つかの実施形態を示すにすぎず、および当業者は依然として創造的努力なしにこれらの添付図面から他の図面を導出することができる。
【図面の簡単な説明】
【００３５】
【図１】本発明の１実施形態に従うネットワーク・モードを調節するためのシステムの略論理構造図である。
【図２】本発明の１実施形態に従うネットワーク・モードを調節するための別のシステムの略論理構造図である。
【図３】本発明の１実施形態に従うネットワーク・モードを調節するためのさらに別のシステムの略論理構造図である。
【図４】本発明の１実施形態に従うネットワーク・モードを調節するための方法の流れ図である。
【図５】本発明の１実施形態に従うネットワーク・モードを調節するための別の方法の流れ図である。
【図６】本発明の１実施形態に従うネットワーク・モードを調節するための方法におけるホーム・モードでネットワークにアクセスする要求を認証するための方法の流れ図である。
【図７】本発明の１実施形態に従うネットワーク・モードを調節するための方法におけるホーム・モードでネットワークにアクセスする要求を認証するための別の方法の流れ図である。
【図８】本発明の１実施形態に従うネットワーク・モードを調節するためのさらに別の方法の流れ図である。
【図８Ａ】本発明の１実施形態に従うネットワーク・モードを調節するための方法におけるルータの設定インタフェースの略図である。
【図８Ｂ】本発明の１実施形態に従うネットワーク・モードを調節するための方法における別のルータの設定インタフェースの略図である。
【図９】本発明の１実施形態に従うネットワーク・モードを調節するための方法におけるルータの送信電力を調節するための方法の流れ図である。
【図９Ａ】本発明の１実施形態に従うネットワーク・モードを調節するための方法におけるさらに別のルータの設定インタフェースの略図である。
【図９Ｂ】本発明の１実施形態に従うネットワーク・モードを調節するための方法におけるさらに別のルータの設定インタフェースの略図である。
【図１０】本発明の１実施形態に従うネットワーク・モードを調節するための方法におけるルータの送信電力を調節するための別の方法の流れ図である。
【図１１】本発明の１実施形態に従うネットワーク・モードを調節するための装置の略論理構造図である。
【図１２】本発明の１実施形態に従うネットワーク・モードを調節するための別の装置の略論理構造図である。および
【図１３】本発明の１実施形態に従うネットワーク・モードを調節するための方法におけるルータの略論理構造図である。
【発明を実施するための形態】
【００３６】
以下で、本発明の諸実施形態における添付図面を参照して本発明の諸実施形態における技術的解決策を明確かつ十分に説明する。明らかに、説明した実施形態は本発明の諸実施形態の一部であり全部ではない。当業者が創造的努力なしに本発明の諸実施形態に基づいて得た他の全ての実施形態は本発明の保護範囲に入るものとする。
【００３７】
本発明を参照して、図１に示すように、本発明はネットワーク・モードを調節するためのシステムに適用可能であり、当該システムは、収集デバイス１０１およびルータ１０２を含む。
【００３８】
収集デバイス１０１は所定の範囲内の個人識別情報を収集するように構成される。当該個人識別情報は、当該所定の範囲内の全員の識別特徴および所定期間における当該所定の範囲内の人数を含む。
【００３９】
当該個人識別特徴が、当該個人識別特徴に対応する人の顔識別特徴、人の指紋情報、または人の音声情報のような他の生体特徴であってもよい。当該収集デバイスが人の顔識別特徴を収集するためのカメラであってもよいか、または、人の指紋情報を収集するための指紋スキャナであってもよいか、または、人の音声情報を収集するための音声記録デバイスであってもよい、等である。
【００４０】
当該所定の範囲が家のドアの前の固定された大きさの領域、または当該収集デバイスが当該個人識別情報を収集できる領域等であってもよい。当該所定の範囲内の全員は、その家に入る人（家族構成員および非家族構成員を含む）である。
【００４１】
ルータ１０２は家族構成員識別特徴およびホーム・デバイス情報を格納し、当該所定の範囲において収集デバイス１０１により収集された個人識別情報を取得し認識し、当該所定の範囲内に非家族構成員がいるとき、ゲスト・モードを有効にするように構成される。
【００４２】
ゲスト・モードは、人が正常にネットワークにアクセスできるがルータの構成情報を修正する許可を有さないモードである。
【００４３】
任意選択で、ルータ１０２はさらに、当該所定の範囲内に子供がいるとき、キッズ・モードを有効にするように構成される。
【００４４】
キッズ・モードは所定のネットワークおよびアプリケーションのみにアクセスできるモードである。
【００４５】
本発明はさらに、ネットワーク・モードを調節するための別のシステムに適用可能である。図２に示すように、当該システムは、収集デバイス２０１、サーバ２０２、およびルータ２０３を含む。
【００４６】
収集デバイス２０１は所定の範囲内の個人識別情報を収集するように構成される。当該個人識別情報は、当該所定の範囲内の全員の識別特徴および所定期間における当該所定の範囲内の人数を含む。
【００４７】
サーバ２０２は家族構成員識別特徴およびホーム・デバイス情報を格納し、当該所定の範囲内で収集デバイス２０１により収集された個人識別情報を取得し認識し、当該所定の範囲内に非家族構成員がいるとき、ゲスト・モードを有効にする命令をルータ２０３に送信するか、または当該所定の範囲内に子供がいるとき、キッズ・モードを有効にする命令をルータ２０３に送信するように構成される。
【００４８】
ルータ２０３はサーバ２０２により送信された命令に従ってゲスト・モードを有効にするかまたはキッズ・モードを有効にするように構成される。
【００４９】
本発明はさらに、ネットワーク・モードを調節するための別のシステムに適用可能である。図３に示すように、当該システムは、収集デバイス３０１、識別特徴認識デバイス３０２、サーバ３０３、およびルータ３０４を含む。
【００５０】
収集デバイス３０１は所定の範囲内の個人識別情報を収集するように構成される。当該個人識別情報は、当該所定の範囲内の全員の識別特徴および所定期間における当該所定の範囲内の人数を含む。
【００５１】
識別特徴認識デバイス３０２は家族構成員識別特徴を格納し、収集デバイス３０１により当該所定の範囲で収集された個人識別情報を取得し認識し、当該所定の範囲で家族構成員識別特徴を当該個人識別特徴と比較することによって、当該所定の範囲内の人のアイデンティティを決定するように構成される。
【００５２】
サーバ３０３は、当該所定の範囲においてアイデンティティ認識デバイス３０２により決定された当該人のアイデンティティを取得し、当該所定の範囲内に非家族構成員がいるとき、ゲスト・モードを有効にする命令をルータ３０４に送信するか、または当該所定の範囲内に子供がいるとき、キッズ・モードを有効にする命令をルータ３０４に送信するように構成される。
【００５３】
ルータ３０４はサーバ３０３により送信された命令に従ってゲスト・モードを有効にするかまたはキッズ・モードを有効にするように構成される。
【００５４】
図１乃至図３を参照して、本発明はネットワーク・モードを調節するための方法を提供し、当該方法は図１乃至図３に示す任意のシステム内のルータに適用される。図４に示すように、当該方法は以下を含む。
【００５５】
４０１：所定の範囲内の個人識別情報を取得する。当該個人識別情報は当該所定の範囲内の全員の個人識別特徴を含む。
【００５６】
４０２：当該個人識別特徴に従って、当該所定の範囲内に非家族構成員がいると判定したとき、ゲスト・モードを有効にする。
【００５７】
本発明の当該実施形態で提供したネットワーク・モードを調節するための方法によれば、所定の範囲内の個人識別情報が取得され、当該個人識別情報は当該所定の範囲内の全員の個人識別特徴を含み、ついで、当該個人識別特徴に従って、当該所定の範囲内に非家族構成員がいると判定したとき、ゲスト・モードが有効にされる。ゲスト・モードを手動でのみ有効にできる先行技術と比較すると、本発明では、個人識別特徴を認識でき、非家族構成員が所定の範囲内にあると判定されたとき、ゲスト・モードが自動的に有効にされる。ゲスト・モードはリアルタイムに有効にされるので、ゲスト・デバイスはゲスト・モードでのみネットワークにアクセスでき、ホーム・ネットワークのセキュリティを確保することができる。
【００５８】
さらに、図１乃至図４を参照して、図４に示す方法が図１のシステムに適用されるとき、当該収集デバイスは当該所定の範囲内の個人識別情報を収集し、当該所定の範囲において当該収集デバイスにより収集された個人識別特徴を認識することによって、当該所定の範囲内に非家族構成員がいることが判定されたとき、ルータがゲスト・モードを有効にする。
【００５９】
図４に示す方法が図２のシステムに適用されるとき、当該収集デバイスは当該所定の範囲内の個人識別情報を収集し、当該サーバは、当該所定の範囲において当該収集デバイスにより収集された個人識別特徴を認識することによって当該所定の範囲内に非家族構成員がいることが判定されたとき、ゲスト・モードを有効にするようにルータを制御する。
【００６０】
図４に示す方法が図３に示すシステムに適用されるとき、当該収集デバイスは当該所定の範囲内の個人識別情報を収集し、当該識別特徴認識モジュールは、当該所定の範囲において当該収集デバイスにより収集された個人識別特徴を認識することによって、当該所定の範囲内に非家族構成員がいるかどうかを判定し、当該識別特徴認識モジュールが当該所定の範囲内に非家族構成員がいると判定したことを示す情報を受信した後、当該サーバはゲスト・モードを有効にするようにルータを制御する。
【００６１】
本発明はさらにネットワーク・モードを調節するための方法を提供する。図５に示すように、当該方法は以下を含む。
【００６２】
５０１：家族構成員識別特徴およびホーム・デバイス情報を格納する。
【００６３】
家族構成員識別特徴は家族アダルト識別特徴および家族キッズ識別特徴を含む。当該ホーム・デバイス情報は、ホーム・アダルト・デバイス情報およびホーム・キッズ・デバイス情報を含む。
【００６４】
各家族構成員識別特徴が各ホーム・デバイスに関する情報と関連して格納されてもよいか、または家族構成員情報および当該ホーム・デバイス情報が別々に格納されてもよいことに留意すべきである。さらに、デバイスが家族構成員の間で大人と子供により共有されるとき、当該キッズ・デバイス情報をアダルト・デバイス情報として格納してもよい。
【００６５】
家族構成員特徴およびホーム・デバイス情報が前もって一度だけ格納される必要があり、次いで、家族構成員が当該格納された家族構成員特徴およびホーム・デバイス情報を要件に従って修正してもよいことにさらに留意すべきである。
【００６６】
５０２：所定の範囲内の個人識別情報を取得する。当該個人識別情報は当該所定の範囲内の全員の個人識別特徴を含む。
【００６７】
５０３：当該所定の範囲内の全員の個人識別特徴を各家族構成員識別特徴と比較し、各家族構成員識別特徴と異なる個人識別特徴が当該個人識別特徴に存在するとき、ゲスト・モードを有効にする。
【００６８】
本発明におけるルータのモードはさらに、ホーム・モードを含むことに留意すべきである。
【００６９】
ホーム・モードは、ネットワークに正常にアクセスでき、ルータの構成情報を修正できるモードである。
【００７０】
ホーム・ネットワークのセキュリティを保証するために、ホーム・モードでネットワークにアクセスすることを申請したデバイスがアプリケーション要求を送信するとき、当該要求が認証される必要がある。図６に示すように、本発明は、ネットワーク・モードを調節するための方法においてホーム・モードでネットワークにアクセスする要求を認証するための方法を提供する。これを特に以下のように説明する。
【００７１】
６０１：第１の要求を受信する。第１の要求は、ホーム・モードでネットワークにアクセスすることを申請した第１のデバイスに関する情報を含む。
【００７２】
第１の要求はホーム・モードでネットワークにアクセスすることを申請する要求であり、第１の要求は、第１のデバイスに関する情報を含み、第１のデバイスに関する情報はホーム・モードでネットワークにアクセスするデバイスに関する情報である。
【００７３】
６０２：第１のデバイスに関する情報をホーム・デバイス情報と比較する。
【００７４】
６０３：第１のデバイスに関する情報がホーム・デバイス情報に存在すると判定したとき、ホーム・モードでネットワークにアクセスすることを申請した第１のデバイスがホーム・モードでネットワークにアクセスすることを許可する。
【００７５】
６０４：第１のデバイスに関する情報がホーム・デバイス情報に存在しないと判定したとき、ホーム・モードでネットワークにアクセスすることを申請した第１のデバイスがホーム・モードでネットワークにアクセスすることを禁止する。
【００７６】
第１のデバイスに関する情報がホーム・デバイス情報に存在しないとき、これは第１のデバイスがホーム・デバイスでなく、したがって、第１のデバイスがホーム・モードでネットワークにアクセスするのを禁じられることを示す。
【００７７】
本発明の当該実施形態で提供したネットワーク・モードを調節するための方法によれば、ゲスト・モードが有効にされた後、ホーム・デバイスは依然としてホーム・モードでネットワークにアクセスし、ホーム・モードでネットワークにアクセスするためのパスワードがゲスト・モードでネットワークにアクセスするためのパスワードと同一であるとき、ゲスト・デバイスがホーム・モードでネットワークにアクセスしうることを回避する。したがって、デバイスがホーム・モードでネットワークにアクセスすることを申請したとき、ルータはホーム・モードでネットワークにアクセスすることを申請したデバイスがホーム・デバイスであるかどうかを認識し、当該デバイスがホーム・デバイスでないとき、ゲスト・モードが有効にされた場合にゲスト・デバイスが依然としてホーム・モードでネットワークにアクセスすることを回避するために、当該デバイスはホーム・モードでネットワークにアクセスすることを禁じられる。当該ホーム・デバイスのみがホーム・モードでネットワークにアクセスでき、ゲスト・デバイスがルータの構成情報を修正する権利を取得しないことを保証し、より効果的にホーム・ネットワークのセキュリティを保証する。
【００７８】
任意選択で、本発明の別の実施形態として、所定の範囲内の個人識別情報を取得した後、当該個人識別情報内の個人識別特徴が各家族構成員識別特徴と比較され、当該キッズ識別特徴が当該個人識別特徴に存在するとき、キッズ・モードが有効にされる。
【００７９】
キッズ・モードは所定のネットワークおよびアプリケーションのみにアクセスできるモードである。
【００８０】
図６を参照して、キッズ・モードが有効にされた後、本発明はさらに、ネットワーク・モードを調節するための方法においてホーム・モードでネットワークにアクセスする要求を認証するための別の方法を提供する。図７に示すように、当該方法は以下を含む。
【００８１】
７０１：第１の要求を受信する。第１の要求はホーム・モードでネットワークにアクセスすることを申請した第１のデバイスに関する情報を含む。
【００８２】
７０２：第１のデバイスに関する情報をホーム・デバイス情報と比較する。
【００８３】
７０３：第１のデバイスに関する情報がホーム・アダルト・デバイス情報に存在すると判定したとき、ホーム・モードでネットワークにアクセスすることを申請した第１のデバイスがホーム・モードでネットワークにアクセスすることを許可する。
【００８４】
第１のデバイスに関する情報がホーム・アダルト・デバイス情報に存在するとき、これは、第１のデバイスがアダルト・デバイスであり、当該アダルト・デバイスが正常にホーム・モードでネットワークにアクセスでき、ルータの構成情報を修正する権利を有することを示すことは理解されうる。
【００８５】
７０４：第１のデバイスに関する情報がホーム・キッズ・デバイス情報に存在すると判定したとき、ホーム・モードでネットワークにアクセスすることを申請した第１のデバイスがキッズ・モードでネットワークにアクセスすると指定する。
【００８６】
第１のデバイスに関する情報がホーム・キッズ・デバイス情報に存在するとき、これは、第１のデバイスがキッズ・デバイスであることを示し、この場合、キッズ・モードは既に有効であり、したがって、当該キッズ・デバイスがキッズ・モードでネットワークにアクセスできることに留意すべきである。
【００８７】
７０５：第１のデバイスに関する情報がホーム・デバイス情報に存在せず、ホーム・キッズ・デバイス情報に存在しないと判定したとき、ホーム・モードでネットワークにアクセスすることを申請した第１のデバイスがホーム・モードでネットワークにアクセスすることを禁止する。
【００８８】
本発明の当該実施形態で提供したネットワーク・モードを調節するための方法によれば、キッズ・モードが有効にされた後、ルータは、ホーム・モードでネットワークにアクセスすることを申請した第１のデバイスがホーム・デバイスであるかどうかを認識するだけでなく、第１のデバイスがホーム・アダルト・デバイスまたはホーム・キッズ・デバイスであるかどうかも認識する。当該デバイスがホーム・キッズ・デバイスであるとき、当該デバイスがキッズ・モードでネットワークにアクセスすることが指定され、当該デバイスがキッズ・モードでネットワークにアクセスする場合、当該デバイスは所定のネットワークおよびアプリケーションのみにアクセスできるが、ルータの構成情報を修正する権利は有さず、インターネット上での子供の誤操作に起因する損失を回避し、ホーム・ネットワークのセキュリティを保証する。
【００８９】
本発明はさらにネットワーク・モードを調節するための方法を提供する。図８に示すように、当該方法は以下を含む。
【００９０】
８０１：所定の範囲内の個人識別情報を取得する。当該個人識別情報は当該所定の範囲内の全員の個人識別特徴を含む。
【００９１】
８０２：当該所定の範囲においてキッズおよびゲストがあると当該所定の範囲内の全員の個人識別特徴に従って判定し、キッズ・モードおよびゲスト・モードの両方を有効にする。
【００９２】
当該個人識別特徴が各家族構成員識別特徴と比較される。キッズ識別特徴が当該個人識別特徴に存在するとき、キッズ・モードが有効にされ、当該所定の範囲内に非家族構成員がいると判定されたとき、ゲスト・モードが有効にされる。
【００９３】
ルータの正常モードはホーム・モードであり、ルータが有効状態にあるとき、ホーム・モードは常に有効にされ、その結果、家族構成員がネットワークにアクセスすることができることに留意すべきである。しかし、キッズ・モードおよびゲスト・モードが有効にされるかどうかを判定する必要がある。
【００９４】
ルータのホーム・モード、ゲスト・モード、およびキッズ・モードが有効状態を同時に保ってもよいことは理解されうる。
【００９５】
任意選択で、当該所定の範囲においてゲストがない場合、この場合、キッズ・モードのみを本ステップで有効にする必要があり、説明の簡単さのため、キッズ・モードおよびゲスト・モードを有効にすることを説明のための１例として使用する。キッズ・モードのみが有効にされるとき、ルータの設定インタフェースが図８Ａに示され、キッズ・モードおよびゲスト・モードの両方が有効にされるとき、ルータの設定インタフェースが図８Ｂに示される。
【００９６】
８０３：第２の要求を受信する。第２の要求は、ゲスト・モードでネットワークにアクセスすることを申請する第２のデバイスに関する情報を含む。
【００９７】
第２の要求はゲスト・モードでネットワークにアクセスすることを申請する要求であり、第２の要求は、第２のデバイスに関する情報を含み、第２のデバイスに関する情報は、ゲスト・モードでネットワークにアクセスすることを申請する第２のデバイスに関する情報である。
【００９８】
８０４：第２のデバイスに関する情報をキッズ・デバイス情報と比較する。
【００９９】
８０５：第２のデバイスに関する情報が当該キッズ・デバイス情報と同じであると判定したとき、第２の要求を申請した第２のデバイスがキッズ・モードでネットワークにアクセスすると指定する。
【０１００】
第２のデバイスに関する情報が当該キッズ・デバイス情報と同一であると判定されたとき、当該デバイスはキッズ・モードでネットワークにアクセスすることが指定される。
【０１０１】
キッズ・デバイスはホーム・モードでネットワークにアクセスする必要があるが、ネットワークにアクセスした後、当該キッズ・デバイスは所定のネットワークおよびアプリケーションのみにアクセスでき、ルータの構成情報を修正できないことに留意すべきである。キッズ・モードが有効にされない場合、当該キッズ・デバイスをホーム・アダルト・デバイスとして使用してもよく、正常にホーム・モードでネットワークにアクセスする。キッズ・モードが有効にされる場合、ホーム・モードまたはゲスト・モードでネットワークにアクセスすることを申請したデバイスに関する情報を当該キッズ・デバイス情報と比較して、子供が使用するデバイスが当該所定のネットワークおよびアプリケーションのみにアクセスできることを保証する必要がある。
【０１０２】
８０６：第２のデバイスに関する情報が当該キッズ・デバイス情報と異なると判定したとき、第２の要求を申請した第２のデバイスがゲスト・モードでネットワークにアクセスすることを許可する。
【０１０３】
第２のデバイスに関する情報が当該キッズ・デバイス情報と異なるとき、これは第２のデバイスが家族内のゲスト・デバイスまたはアダルト・デバイスであることを示し、この場合、当該デバイスは元々申請されたモード、即ち、ゲスト・モードで作業アクセスできることに留意すべきである。
【０１０４】
図６乃至図８に示す方法のプロセスを参照して、ホーム・モードでネットワークにアクセスすることを申請する任意のデバイスに対して、ルータは当該デバイスに関する情報をホーム・デバイス情報と比較する必要があり、当該デバイスがホーム・アダルト・デバイスであると判定されたとき、当該デバイスは正常にホーム・モードでネットワークにアクセスすることができ、当該デバイスがキッズ・デバイスであると判定されたとき、キッズ・モードが有効にされる場合、当該デバイスはホーム・モードでネットワークにアクセスできるが、所定のネットワークおよびアプリケーションのみにアクセスできるか、または、当該デバイスが非家族構成員デバイスであると判定されたとき、当該デバイスはホーム・モードでネットワークにアクセスすることを禁じられる。
【０１０５】
さらに、キッズ・モードが有効にされる場合、ゲスト・モードでネットワークにアクセスすることを申請した任意のデバイスに対して、ルータは当該デバイスに関する情報をキッズ・デバイス情報と比較する必要があり、当該デバイスがキッズ・デバイスであると判定されたとき、当該デバイスがキッズ・モードでネットワークにアクセスすることが指定される。
【０１０６】
任意選択で、本発明はさらに、ネットワーク・モードを調節するための方法においてルータの送信電力を調節するための方法を提供する。当該方法において、個人識別情報はさらに所定期間における所定の範囲内の人数を含み、図９に示すように、当該方法は以下を含む。
【０１０７】
９０１：所定の範囲内の個人識別情報を取得する。当該個人識別情報は所定期間における当該所定の範囲内の人数を含む。
【０１０８】
当該所定期間が１日の自然日または自然日の半日であってもよく、０時から２４時の期間は１日の自然日であり、０時から１２時までの期間と１２時から２４時までの期間はそれぞれ自然日の半日であることに留意すべきである。１日の自然日または自然日の半日において、収集デバイスは、当該所定の範囲内の人の移動軌跡を辿り、当該人がドアに入ったかどうかを判定し、１日の自然日または自然日の半日における当該ドアに入った人の数をリアルタイムにカウントし、当該人数は同一のルータを用いることによってネットワークにアクセスしうるデバイスの数を表す。
【０１０９】
９０２：当該人数が第１の人数所定値以上であるとき第１の送信電力を有効にする。
【０１１０】
第１の送信電力は、ルータにより送信された信号を相対的に高い値に到達させる送信電力であり、ルータの壁貫通モードとして一般に知られている。第１の人数所定値が実際の状況に従って決定され、例えば、５に設定してもよい。即ち、当該ドアに入る人の数が５人を超えるとき、当該壁貫通モードが有効にされ、当該ドアに入る複数の人のデバイスがネットワークに接続されるとき、信号が強く安定であることを保証する。当該壁貫通モードが有効にされるとき、ルータのディスプレイ・インタフェースを図９Ａに示してもよく、図９Ａのネットワークに接続されたデバイスの数は、ステップ９０１での当該所定期間における当該所定の範囲内の人数であり、この場合、当該人数が５人であることが分かりうる。
【０１１１】
ゲスト・モードおよびキッズ・モードが有効にされるかどうかに関わらず、ルータが送信電力を調節してもよく、キッズ・モードが有効にされるがゲスト・モードが有効にされないことが図９Ａの１例として示されていることに留意すべきである。
【０１１２】
９０３：当該人数が第１の人数所定値より小さいが第２の人数所定値より大きいとき、第２の送信電力を有効にする。
【０１１３】
第２の送信電力は、ルータにより送信された信号を標準値に到達させる送信電力であり、ルータの正常モードとして一般に知られている。第２の人数所定値は絶対的に第１の所定値より小さく、第２の人数所定値の特定の値が実際の状況に従って決定され、一般にゼロに設定されてもよい。即ち、当該ドアに入る人の数がゼロより大きく５より小さいとき、当該正常モードが有効にされ、当該ドアに入る人のデバイスの基本ネットワーク接続要件が保証される。当該正常モードが有効にされるとき、ルータのディスプレイ・インタフェースを図９Ｂに示す。この場合、当該人数が４であることが図９Ｂから分かりうる。
【０１１４】
９０４：当該人数が第２の人数所定値以下であるとき第３の送信電力を有効にする。
【０１１５】
第３の送信電力は、ルータにより送信された信号を最小値に到達させる送信電力であり、ルータのエネルギ節約モードとして一般に知られている。例えば、第２の所定値がゼロであるとき、即ち、当該ドアに入る人がいないとき、当該エネルギ節約モードが有効にされる。
【０１１６】
本発明の当該実施形態で提供するルータの送信電力を調節するための方法によれば、ルータの送信電力を調節するために所定期間における所定の範囲内の人数が取得され、当該人数が第１の人数所定値以上であるとき、第１の送信電力、即ち、相対的に高い送信電力が有効にされ、複数の人のデバイスがルータを用いることによってネットワークに接続されるときネットワーク信号が強く安定であることが保証され、当該人数が第１の所定値より小さく第２の人数所定値より大きいとき、第２の送信電力が有効にされ、家に入る人のデバイスがルータによりネットワークに接続される基本要件が保証され、当該人数が第２の人数所定値以下であるとき、第３の送信電力が有効にされ、即ち、人がいないかまたは人が殆どいない場合、エネルギ消費が減る。要件に従ってルータの送信電力を調節する方法において、ホーム・ネットワークのセキュリティが保証される間に、相対的に多くの人がいるときに信号品質が保証され、相対的に少ない人がいるときにエネルギ消費も減る。さらに、相対的に多くの人がいるとき、相対的に高い電力が有効にされ、相対的に少ない人がいるとき、相対的に低い送信電力が有効にされ、信号品質を保証しつつ、さらに人体へのネットワーク・デバイスの放射を減らすことができる。
【０１１７】
本発明はさらに、ネットワーク・モードを調節するための方法におけるルータの送信電力を調節するための別の方法を提供する。図１０に示すように、当該方法は以下を含む。
【０１１８】
１００１：ルータを用いることによって、ネットワークにアクセスするデバイスの数を検出する。
【０１１９】
１００２：当該デバイスの数が第１のデバイス所定値以上であるとき、第１の送信電力を有効にする。
【０１２０】
１００３：当該デバイスの数が第１の人数所定値より小さく、第２のデバイス所定値より大きいとき、第２の送信電力を有効にする。
【０１２１】
１００４：当該デバイスの数が第２のデバイス所定値以下であるとき、第３の送信電力を有効にする。
【０１２２】
ステップ１００２、１００３、および１００４における第１のデバイス所定値および第２のデバイス所定値の特定の値がそれぞれステップ９０２、９０３、および９０４における第１の人数所定値および第２の人数所定値の値と同一であってもよいことに留意すべきである。
【０１２３】
本発明の当該実施形態で提供するルータの送信電力を調節するための方法によれば、ルータの送信電力を調節するために、ネットワークにアクセスするデバイスの数がルータを用いることによって検出され、当該デバイスの数が第１のデバイス所定値以上であるとき、第１の送信電力、即ち、相対的に高い送信電力が有効にされ、ルータを用いることによって複数のデバイスがネットワークに接続されるときにネットワーク信号が強く安定であることが保証され、当該デバイスの数が第１のデバイス所定値より小さく、第２のデバイス所定値より大きいとき、第２の送信電力が有効にされ、家の中のデバイスがルータを用いることによってネットワークに接続される基本要件が保証されるか、または、当該人数が第２のデバイス所定値以下であるとき、第３の送信電力が有効にされ、即ち、人がいないかまたは人が殆どいない場合、エネルギ消費が減る。要件に従ってルータの送信電力を調節する方法において、ホーム・ネットワークのセキュリティが保証される間に、相対的に多数のデバイスがあるとき信号品質が保証され、相対的に少数のデバイスがあるときエネルギ消費も減る。相対的に多数のデバイスがあるとき、相対的に高い電力が有効にされ、相対的に少数のデバイスがあるとき、相対的に低い送信電力が有効にされ、信号品質を保証しつつ、さらに人体へのネットワーク・デバイスの放射を減らすことができる。
【０１２４】
図４乃至図１０における説明を参照して、本発明はネットワーク・モードを調節するための装置を提供する。図１１に示すように、当該装置は取得ユニット１１および有効化ユニット１２を含む。
【０１２５】
取得ユニット１１は所定の範囲内の個人識別情報を取得するように構成される。当該個人識別情報は当該所定の範囲内の全員の個人識別特徴を含む。
【０１２６】
有効化ユニット１２は、取得ユニット１１により取得された個人識別特徴に従って、当該所定の範囲内に非家族構成員がいると判定されたとき、ゲスト・モードを有効にするように構成される。
【０１２７】
本発明の当該実施形態で提供したネットワーク・モードを調節するための装置によれば、当該取得ユニットが所定の範囲内の個人識別情報を取得する。当該個人識別情報は当該所定の範囲内の全員の個人識別特徴を含み、ついで、当該有効化ユニットは、当該個人識別特徴に従って当該所定の範囲内に非家族構成員がいると判定したとき、ゲスト・モードを有効にする。ゲスト・モードを手動でのみ有効にできる先行技術と比較すると、本発明では、個人識別特徴を認識でき、非家族構成員が所定の範囲内にあると判定されたとき、ゲスト・モードが自動的に有効にされる。ゲスト・モードはリアルタイムに有効にされるので、ゲスト・デバイスはゲスト・モードでのみネットワークにアクセスでき、ホーム・ネットワークのセキュリティを確保することができる。
【０１２８】
さらに、図１１を参照して、本発明はさらにネットワーク・モードを調節するための装置を提供する。図１２に示すように、当該装置はさらに記憶ユニット１３を備える。
【０１２９】
記憶ユニット１３は家族構成員識別特徴を格納するように構成される。
【０１３０】
有効化ユニット１２はさらに、取得ユニット１１により取得された個人識別特徴を記憶ユニット１３に格納された各家族構成員識別特徴と比較し、各家族構成員識別特徴と異なる個人識別特徴が当該個人識別特徴に存在するとき、ゲスト・モードを有効にするように構成される。
【０１３１】
当該記憶ユニットはさらに、ホーム・デバイス情報を格納するように構成され、当該ホーム・デバイス情報は、ホーム・アダルト・デバイス情報およびホーム・キッズ・デバイス情報を含む。
【０１３２】
さらに、図１２に示すように、当該装置はさらに、受信ユニット１４、比較ユニット１５、および認証ユニット１６を含む。
【０１３３】
受信ユニット１４は、有効化ユニット１２がゲスト・モードを有効にした後、第１の要求を受信するように構成される。第１の要求はホーム・モードでネットワークにアクセスすることを申請した第１のデバイスに関する情報を含む。
【０１３４】
比較ユニット１５は第１のデバイスに関する情報を記憶ユニット１３に格納されたホーム・デバイス情報を比較するように構成され、比較結果を認証ユニット１６に提供する。
【０１３５】
認証ユニット１６は、比較ユニット１５により提供された比較結果に従って、第１のデバイスに関する情報がホーム・デバイス情報に存在すると判定したとき、ホーム・モードでネットワークにアクセスすることを申請した第１のデバイスがホーム・モードでネットワークにアクセスすることを許可し、または、比較ユニット１５により提供された比較結果に従って、第１のデバイスに関する情報がホーム・デバイス情報に存在しないと判定したとき、ホーム・モードでネットワークにアクセスすることを申請した第１のデバイスがホーム・モードでネットワークにアクセスすることを禁止するように構成される。
【０１３６】
さらに、家族構成員識別特徴は家族アダルト識別特徴および家族キッズ識別特徴を含む。有効化ユニット１２はさらに、取得ユニット１１により取得された個人識別特徴を記憶ユニット１３に格納された各家族構成員識別特徴と比較し、当該キッズ識別特徴が当該個人識別特徴に存在するとき、キッズ・モードを有効にするように構成される。キッズ・モードは所定のネットワークおよびアプリケーションのみにアクセスできるモードである。
【０１３７】
認証ユニット１６はさらに、比較ユニット１５により提供された比較結果に従って、第１のデバイスに関する情報がホーム・アダルト・デバイス情報に存在すると判定したとき、ホーム・モードでネットワークにアクセスすることを申請した第１のデバイスがホーム・モードでネットワークにアクセスすることを許可し、第１のデバイスに関する情報がホーム・キッズ・デバイス情報に存在すると判定したとき、ホーム・モードでネットワークにアクセスすることを申請した第１のデバイスがキッズ・モードでネットワークにアクセスすると指定するか、または、第１のデバイスに関する情報がホーム・アダルト・デバイス情報に存在せず、ホーム・キッズ・デバイス情報に存在しないと判定したとき、ホーム・モードでネットワークにアクセスすることを申請した第１のデバイスがホーム・モードでネットワークにアクセスすることを禁止するように構成される。
【０１３８】
受信ユニット１４はさらに、有効化ユニット１２がキッズ・モードを有効にした後、第２の要求を受信するように構成され、第２の要求はゲスト・モードでネットワークにアクセスすることを申請した第２のデバイスに関する情報を含む。
【０１３９】
比較ユニット１５はさらに、第２のデバイスに関する情報をキッズ・デバイス情報と比較するように構成される。
【０１４０】
認証ユニット１６はさらに、第２のデバイスに関する情報が当該キッズ・デバイス情報と同じであると判定したとき、第２の要求を申請した第２のデバイスがキッズ・モードでネットワークにアクセスすると指定するか、または、第２のデバイスに関する情報が当該キッズ・デバイス情報と異なると判定したとき、第２の要求を申請した第２のデバイスは、元々申請されたモードに従ってネットワークにアクセスするのを許可するように構成される。
【０１４１】
当該所定の範囲において取得ユニット１１により取得された個人識別情報はさらに所定期間における当該所定の範囲内の人数を含むことに留意すべきである。
【０１４２】
さらに、図１２に示すように、当該装置はさらに第１の電力有効化ユニット１７を備える。
【０１４３】
第１の電力有効化ユニット１７は、当該人数が第１の人数所定値以上であるとき、第１の送信電力を有効にし、当該人数が第１の人数所定値より小さく第２の人数所定値より大きいとき、第２の送信電力を有効にするか、または、当該人数が第３の人数所定値以下であるとき、第３の送信電力を有効にするように構成される。
【０１４４】
第１の送信電力は、ルータにより送信された信号を相対的に高い値に到達させる送信電力であり、ルータの壁貫通モードとして一般に知られている。第２の送信電力は、ルータにより送信された信号を標準値に到達させる送信電力であり、ルータの正常モードとして一般に知られている。第３の送信電力は、ルータにより送信された信号を最小値に到達させる送信電力であり、ルータのエネルギ節約モードとして一般に知られている。
【０１４５】
任意選択で、図１２に示すように、当該装置はさらに検出ユニット１８および第２の電力有効化ユニット１９を含む。
【０１４６】
検出ユニット１８はルータを用いてネットワークにアクセスするデバイスの数を検出するように構成される。
【０１４７】
第２の電力有効化ユニット１９は、当該人数が第１のデバイス所定値以上であるとき、第１の送信電力を有効にし、当該人数が第１のデバイス所定値がより小さく第２のデバイス所定値より大きいとき、第２の送信電力を有効にするか、または、当該人数が第３のデバイス所定値以下であるとき、第３の送信電力を有効にするように構成される。
【０１４８】
図１２に示す第１の電力有効化ユニット１７はルータの送信電力を調節するための機能を有し、第２の電力有効化ユニット１９はまた、ルータの送信電力を調節するための機能を有するが、第１の電力有効化ユニット１７および第２の電力有効化ユニット１９はルータの送信電力を異なる方式で調節することに留意すべきである。ネットワーク・モードを調節するための装置において、第１の電力有効化ユニット１７のみがルータの送信電力を調節するために使用されてもよいか、または、第２の電力有効化ユニット１９のみがルータの送信電力を調節するために使用されてもよいか、または、第１の電力有効化ユニット１７または第２の電力有効化ユニット１９がルータの送信電力を調節するために選択されてもよい。
【０１４９】
本発明の当該実施形態で提供したネットワーク・モードを調節するための装置によれば、当該取得ユニットが所定の範囲内の個人識別情報を取得する。当該個人識別情報は当該所定の範囲内の全員の個人識別特徴を含み、ついで、当該有効化ユニットは、当該個人識別特徴に従って当該所定の範囲内に非家族構成員がいると判定したとき、ゲスト・モードを有効にする。ゲスト・モードを手動でのみ有効にできる先行技術と比較すると、本発明では、個人識別特徴を認識でき、非家族構成員が所定の範囲内にあると判定されたとき、ゲスト・モードが自動的に有効にされる。ゲスト・モードはリアルタイムに有効にされるので、ゲスト・デバイスはゲスト・モードでのみネットワークにアクセスでき、ホーム・ネットワークのセキュリティを確保することができる。
【０１５０】
図１３に示すように、図１３は、図１に示すシステム内のルータのハードウェアの略構造図である。ルータが、メモリ３１、受信器３２、プロセッサ３３、およびバス３４を含んでもよい。メモリ３１、受信器３２、およびプロセッサ３３はバス３４を用いることによって通信可能に接続される。
【０１５１】
メモリ３１が読取り専用メモリ（Read Only Memory、ＲＯＭ）、静的記憶装置、動的記憶装置、またはランダム・アクセスメモリ（Random Access Memory、ＲＡＭ）であってもよい。メモリ３１が、オペレーティング・システムおよび別のアプリケーションプログラムを格納してもよい。本発明の当該実施形態で提供した技術的解決策がソフトウェアおよびファームウェアを用いることによって実装されるとき、本発明の当該実施形態で提供した技術的解決策を実装するためのプログラムコードはメモリ３１に格納され、プロセッサ３３により実行される。
【０１５２】
送受信器３２は、当該装置および別のデバイスまたは通信ネットワーク（例えば、Ｅｔｈｅｒｎｅｔ、無線アクセス・ネットワーク（Radio Access Network、ＲＡＮ）、または無線ローカル・エリア・ネットワーク（Wireless Local Area Network、ＷＬＡＮ）があるがこれらに限られない）の間の通信のために使用される。
【０１５３】
プロセッサ３３が、汎用中央演算装置（Central Processing Unit、ＣＰＵ）、マイクロプロセッサ、特殊用途向け集積回路（Application Specific Integrated Circuit、ＡＳＩＣ）、または１つまたは複数の集積回路であってもよく、本発明の当該実施形態で提供した技術的解決策を実装するために、関連するプログラムを実行するように構成される。
【０１５４】
バス３４が、当該装置内のコンポーネント（例えば、メモリ３１、受信器３２、およびプロセッサ３３）間でメッセージを送信するチャネルを含んでもよい。
【０１５５】
図１３に示すハードウェアは、メモリ３１、送受信器３２、プロセッサ３３、およびバス３４のみを含むが、特定の実装プロセスでは、当業者は、当該端末はさらに正常な実行を実装するのに本質的な別のコンポーネントを含むことを理解すべきであることに留意すべきである。さらに、当業者は、当該端末がさらに別の機能を実装するためのハードウェア・コンポーネントを備えうることを理解すべきである。
【０１５６】
特に、図１３に示すルータが図１１乃至図１２における実施形態で示した装置を実装するために使用されるとき、当該装置内の受信器３２は所定の範囲内の個人識別情報を取得するように構成される。当該個人識別情報は当該所定の範囲内の全員の個人識別特徴を含み、当該所定の範囲内の個人識別情報をプロセッサ３３に提供する。
【０１５７】
プロセッサ３３はメモリ３１および受信器３２に接続され、プログラム命令の実行を制御するように構成され、特に、当該個人識別特徴に従って、当該所定の範囲内に非家族構成員がいると判定したとき、ゲスト・モードを有効にするように構成される。
【０１５８】
さらに、メモリ３１はさらに、家族構成員識別特徴を格納するように構成される。
【０１５９】
プロセッサ３３はさらに、受信器３２により取得された個人識別特徴をメモリ３１に格納された各家族構成員識別特徴と比較し、各家族構成員識別特徴と異なる個人識別特徴が当該個人識別特徴に存在するとき、ゲスト・モードを有効にするように構成される。
【０１６０】
家族構成員識別特徴は家族アダルト識別特徴および家族キッズ識別特徴を含むことに留意すべきである。
【０１６１】
メモリ３１はさらに、ホーム・デバイス情報を格納するように構成され、当該ホーム・デバイス情報は、ホーム・アダルト・デバイス情報およびホーム・キッズ・デバイス情報を含む。
【０１６２】
受信器３２はさらに、第１の要求を受信するように構成され、第１の要求はホーム・モードでネットワークにアクセスすることを申請した第１のデバイスに関する情報を含む。
【０１６３】
プロセッサ３３はさらに、第１のデバイスに関する情報を当該ホーム・デバイス情報と比較し、第１のデバイスに関する情報がホーム・デバイス情報に存在すると判定したとき、ホーム・モードでネットワークにアクセスすることを申請した第１のデバイスがホーム・モードでネットワークにアクセスすることを許可し、または第１のデバイスに関する情報がホーム・デバイス情報に存在しないと判定したとき、ホーム・モードでネットワークにアクセスすることを申請した第１のデバイスがホーム・モードでネットワークにアクセスすることを禁止するように構成される。
【０１６４】
プロセッサ３３はさらに、受信器３２により取得された個人識別特徴をメモリ３１に格納された各家族構成員識別特徴と比較し、キッズ識別特徴が当該個人識別特徴に存在するとき、キッズ・モードを有効にするように構成される。キッズ・モードは所定のネットワークおよびアプリケーションのみにアクセスできるモードである。
【０１６５】
プロセッサ３３はさらに、第１のデバイスに関する情報を当該ホーム・デバイス情報と比較した後、第１のデバイスに関する情報がホーム・アダルト・デバイス情報に存在すると判定したとき、ホーム・モードでネットワークにアクセスすることを申請した第１のデバイスがホーム・モードでネットワークにアクセスすることを許可し、第１のデバイスに関する情報がホーム・キッズ・デバイス情報に存在すると判定したとき、ホーム・モードでネットワークにアクセスすることを申請した第１のデバイスがキッズ・モードでネットワークにアクセスすると指定するか、または、第１のデバイスに関する情報がホーム・アダルト・デバイス情報に存在せず、ホーム・キッズ・デバイス情報に存在しないと判定したとき、ホーム・モードでネットワークにアクセスすることを申請した第１のデバイスがホーム・モードでネットワークにアクセスすることを禁止するように構成される。
【０１６６】
さらに、受信器３２はさらに、第２の要求を受信するように構成され、第２の要求はゲスト・モードでネットワークにアクセスすることを申請した第２のデバイスに関する情報を含む。
【０１６７】
プロセッサ３３はさらに、第２のデバイスに関する情報を当該キッズ・デバイス情報と比較するように構成され、第２のデバイスに関する情報が当該キッズ・デバイス情報と同じであると判定したとき、第２の要求を申請した第２のデバイスがキッズ・モードでネットワークにアクセスすると指定し、または第２のデバイスに関する情報が当該キッズ・デバイス情報と異なると判定したとき、第２の要求を申請した第２のデバイスがゲスト・モードでネットワークにアクセスすることを許可する。
【０１６８】
当該所定の範囲内で受信器３２により取得された個人識別情報は、所定期間における当該所定の範囲内の人数を含む。
【０１６９】
プロセッサ３３はさらに、当該人数が第１の人数所定値以上であるとき、第１の送信電力を有効にし、当該人数が第１の人数所定値より小さく、第２の人数所定値より大きいとき、第２の送信電力を有効にし、または当該人数が第３の人数所定値以下であるとき、第３の送信電力を有効にするように構成される。
【０１７０】
第１の送信電力は、ルータにより送信された信号を相対的に高い値に到達させる送信電力であり、ルータの壁貫通モードとして一般に知られている。第２の送信電力は、ルータにより送信された信号を標準値に到達させる送信電力であり、ルータの正常モードとして一般に知られている。第３の送信電力は、ルータにより送信された信号を最小値に到達させる送信電力であり、ルータのエネルギ節約モードとして一般に知られている。
【０１７１】
任意選択で、プロセッサ３３はさらに、ルータを用いてネットワークにアクセスするデバイスの数を検出し、当該デバイスの数が第１のデバイス所定値以上であるとき、第１の送信電力を有効にし、当該デバイスの数が第１のデバイス所定値より小さく第２の所定値より大きいとき、第２の送信電力を有効にし、または当該デバイスの数が第３のデバイス所定値以下であるとき、第３の送信電力を有効にするように構成される。
【０１７２】
本発明はさらにコンピュータ・プログラム・コードを含むコンピュータ・プログラム製品を提供する。計算ユニットが当該コンピュータ・プログラム・コードを実行したとき、当該計算ユニットは図１乃至図１０に記録した動作を実行する。
【０１７３】
本発明の当該実施形態で提供したネットワーク・モードを調節するための装置によれば、当該受信器が所定の範囲内の個人識別情報を取得する。当該個人識別情報は当該所定の範囲内の全員の個人識別特徴を含み、ついで、当該プロセッサがゲスト・モードを有効にする当該個人識別特徴に従って、当該所定の範囲内に非家族構成員がいると判定したとき。ゲスト・モードを手動でのみ有効にできる先行技術と比較すると、本発明では、個人識別特徴を認識でき、非家族構成員が所定の範囲内にあると判定されたとき、ゲスト・モードが自動的に有効にされる。ゲスト・モードはリアルタイムに有効にされるので、ゲスト・デバイスはゲスト・モードでのみネットワークにアクセスでき、ホーム・ネットワークのセキュリティを確保することができる。
【０１７４】
便宜上および説明の簡単さのため、上述の機能モジュールの分割は説明のための１例として捉えられることは当業者により明確に理解されうる。実際の適用では、上述の機能を異なる機能モジュールに割り当て、要件に従って実装することができる。即ち、装置の内部構造は上述の機能の全部または一部を実装するための異なる機能モジュールに分割される。上述のシステム、装置、およびユニットの詳細な動作プロセスについては、上述の方法の実施形態における対応するプロセスを参照してもよく、詳細はここでは再度説明しない。
【０１７５】
本願で提供した幾つかの実施形態では、開示したシステム、装置、および方法を他の方式で実装してもよいことは理解されるべきである。例えば、説明した装置実施形態は例示的なものにすぎない。例えば、当該モジュールまたはユニット分割は論理的な機能分割にすぎず、実際の実装では他の分割であってもよい。例えば、複数のユニットまたはコンポーネントを別のシステムに結合または統合してもよく、または幾つかの特徴を無視するかまたは実施しなくてもよい。さらに、当該表示または説明された相互結合または直接結合または通信接続を、幾つかのインタフェースを用いることによって実装してもよい。当該装置またはユニットの間の間接結合または通信接続を電気的形態、機械的形態、または他の形態で実装してもよい。
【０１７６】
別々の部分として説明したユニットが、物理的に別々であってもなくてもよく、ユニットとして表示した部分が、物理ユニットであってもなくてもよく、１つの位置に配置されてもよく、または複数のネットワークユニットに分散されてもよい。当該ユニットの一部または全部を、当該実施形態の解決策の目的を達成するための実際のニーズに従って選択してもよい。
【０１７７】
さらに、本発明の諸実施形態における機能ユニットが１つの処理ユニットに統合されてもよく、または当該ユニットの各々が物理的に単体で存在してもよく、または２つ以上のユニットが１つのユニットに統合される。当該統合されたユニットをハードウェアの形態で実装してもよく、またはソフトウェア機能ユニットの形態で実装してもよい。
【０１７８】
当該統合されたユニットがソフトウェア機能ユニットの形態で実装され独立な製品として販売または使用されるとき、当該統合されたユニットがコンピュータ可読記憶媒体に格納されてもよい。かかる理解に基づいて、本発明の技術的解決策を本質的に、または先行技術に寄与する部分、または当該技術的解決策の全部または一部をソフトウェア製品の形態で実装してもよい。当該コンピュータソフトウェア製品は記憶媒体に格納されは、本発明の諸実施形態で説明した方法のステップの全部または一部を実施するようにコンピュータデバイス（パーソナルコンピュータ、サーバ、またはネットワーク・デバイス）またはプロセッサ（Processor）であってもよい）に指示するための幾つかの命令を含む。上述の記憶媒体は、ＵＳＢフラッシュドライブ、取外し可能ハード・ディスク、読取り専用メモリ（ＲＯＭ、Read-Only Memory）、ランダム・アクセスメモリ（ＲＡＭ、Random Access Memory）、磁気ディスク、または光ディスクのようなプログラムコードを格納できる任意の媒体を含む。
【０１７９】
上述の説明は本発明の特定の実装方式にすぎず、本発明の保護範囲を限定しようとするものではない。本発明で開示した技術的範囲内で当業者により容易に想到される任意の変形または置換は本発明の保護範囲に入るものとする。したがって、本発明の保護範囲は諸請求項の保護範囲により支配されるものとする。
【符号の説明】
【０１８０】
１１  取得ユニット
１２  有効化ユニット
１３  記憶ユニット
１４  受信ユニット
１５  比較ユニット
１６  認証ユニット
１７  第１の電力有効化ユニット
１８  検出ユニット
１９  第２の電力有効化ユニット
３１  メモリ
３２  受信器
３３  プロセッサ
１０１  収集デバイス
１０２  ルータ
２０１  収集デバイス
２０２  サーバ
２０３  ルータ
３０１  収集デバイス
３０２  識別特徴認識デバイス
３０３  サーバ
３０４  ルータ
【図１】
2018501724.tif 000003
【図２】
2018501724.tif 000004
【図３】
2018501724.tif 000005
【図４】
2018501724.tif 000006
【図５】
2018501724.tif 000007
【図６】
2018501724.tif 000008
【図７】
2018501724.tif 000009
【図８】
2018501724.tif 000010
【図８Ａ】
2018501724.tif 000011
【図８Ｂ】
2018501724.tif 000012
【図９】
2018501724.tif 000013
【図９Ａ】
2018501724.tif 000014
【図９Ｂ】
2018501724.tif 000015
【図１０】
2018501724.tif 000016
【図１１】
2018501724.tif 000017
【図１２】
2018501724.tif 000018
【図１３】
2018501724.tif 000019
【手続補正書】
【提出日】平成29年8月3日(2017.8.3)
【手続補正１】
【補正対象書類名】明細書
【補正対象項目名】００１０
【補正方法】変更
【補正の内容】
【００１０】
第１の態様の第４の可能な実施形態を参照して、第５の可能な実施形態では、第１のデバイスに関する情報を当該ホーム・デバイス情報と比較した後、当該方法はさらに、
第１のデバイスに関する情報がホーム・アダルト・デバイス情報に存在すると判定したとき、ホーム・モードでネットワークにアクセスすることを申請した第１のデバイスがホーム・モードでネットワークにアクセスすることを許可するステップと、
第１のデバイスに関する情報がホーム・キッズ・デバイス情報に存在すると判定したとき、ホーム・モードでネットワークにアクセスすることを申請した第１のデバイスがキッズ・モードでネットワークにアクセスするように指示するステップ、または
第１のデバイスに関する情報がホーム・デバイス情報に存在せず、ホーム・キッズ・デバイス情報に存在しないと判定したとき、ホーム・モードでネットワークにアクセスすることを申請した第１のデバイスが、ホーム・モードでネットワークにアクセスすることを禁止するステップと、
を含む。
【手続補正２】
【補正対象書類名】明細書
【補正対象項目名】００１１
【補正方法】変更
【補正の内容】
【００１１】
第１の態様の第４の可能な実施形態または第１の態様の第５の可能な実施形態を参照して、第６の可能な実施形態では、当該個人識別特徴を各家族構成員識別特徴と比較した後、当該キッズ識別特徴が当該個人識別特徴に存在するとき、キッズ・モードを有効にした後、当該方法はさらに、
第２の要求を受信するステップであって、第２の要求はゲスト・モードでネットワークにアクセスすることを申請した第２のデバイスに関する情報を含む、ステップと、
第２のデバイスに関する情報を当該キッズ・デバイス情報と比較するステップと、
第２のデバイスに関する情報が当該キッズ・デバイス情報と同じであると判定したとき、第２の要求を申請した第２のデバイスがキッズ・モードでネットワークにアクセスすることを指定するステップ、または
第２のデバイスに関する情報が当該キッズ・デバイス情報と異なると判定したとき、ゲスト・モードでネットワークにアクセスすることを申請した第２のデバイスがゲスト・モードでネットワークにアクセスすることを許可するステップと、
を含む。
【手続補正３】
【補正対象書類名】明細書
【補正対象項目名】００１９
【補正方法】変更
【補正の内容】
【００１９】
第２の態様の第４の可能な実施形態を参照して、第５の可能な実施形態では、
当該認証ユニットはさらに、第１のデバイスに関する情報がホーム・アダルト・デバイス情報に存在すると判定したとき、ホーム・モードでネットワークにアクセスすることを申請した第１のデバイスがホーム・モードでネットワークにアクセスすることを許可し、第１のデバイスに関する情報がホーム・キッズ・デバイス情報に存在すると判定したとき、ホーム・モードでネットワークにアクセスすることを申請した第１のデバイスがキッズ・モードでネットワークにアクセスするように指示するか、または、第１のデバイスに関する情報がホーム・アダルト・デバイス情報に存在せず、ホーム・キッズ・デバイス情報に存在しないと判定したとき、ホーム・モードでネットワークにアクセスすることを申請した第１のデバイスがホーム・モードでネットワークにアクセスすることを禁止するように構成される。
【手続補正４】
【補正対象書類名】明細書
【補正対象項目名】００２０
【補正方法】変更
【補正の内容】
【００２０】
第２の態様の第４の可能な実施形態または第２の態様の第５の可能な実施形態を参照して、第６の可能な実施形態では、
当該受信ユニットはさらに、当該有効化ユニットがキッズ・モードを有効にした後、第２の要求を受信するように構成され、第２の要求はゲスト・モードでネットワークにアクセスすることを申請した第２のデバイスに関する情報を含み、
当該比較ユニットはさらに、第２のデバイスに関する情報を当該キッズ・デバイス情報と比較するように構成され、
当該認証ユニットはさらに、第２のデバイスに関する情報が当該キッズ・デバイス情報と同じであると判定したとき、第２の要求を申請した第２のデバイスがキッズ・モードでネットワークにアクセスすると指定するか、または、第２のデバイスに関する情報が当該キッズ・デバイス情報と異なると判定したとき、ゲスト・モードでネットワークにアクセスすることを申請した第２のデバイスがゲスト・モードでネットワークにアクセスすることを許可するように構成される。
【手続補正５】
【補正対象書類名】明細書
【補正対象項目名】００２８
【補正方法】変更
【補正の内容】
【００２８】
第３の態様の第４の可能な実施形態を参照して、第５の可能な実施形態では、
当該プロセッサはさらに、第１のデバイスに関する情報を当該ホーム・デバイス情報と比較した後、第１のデバイスに関する情報がホーム・アダルト・デバイス情報に存在すると判定したとき、ホーム・モードでネットワークにアクセスすることを申請した第１のデバイスがホーム・モードでネットワークにアクセスすることを許可し、第１のデバイスに関する情報がホーム・キッズ・デバイス情報に存在すると判定したとき、ホーム・モードでネットワークにアクセスすることを申請した第１のデバイスがキッズ・モードでネットワークにアクセスするように指示するか、または、第１のデバイスに関する情報がホーム・アダルト・デバイス情報に存在せず、ホーム・キッズ・デバイス情報に存在しないと判定したとき、ホーム・モードでネットワークにアクセスすることを申請した第１のデバイスがホーム・モードでネットワークにアクセスすることを禁止するように構成される。
【手続補正６】
【補正対象書類名】明細書
【補正対象項目名】００２９
【補正方法】変更
【補正の内容】
【００２９】
第３の態様の第４の可能な実施形態または第３の態様の第５の可能な実施形態を参照して、第６の可能な実施形態では、
当該受信器はさらに、第２の要求を受信するように構成され、第２の要求はゲスト・モードでネットワークにアクセスすることを申請した第２のデバイスに関する情報を含み、
当該プロセッサはさらに、第２のデバイスに関する情報を当該キッズ・デバイス情報と比較するように構成され、第２のデバイスに関する情報が当該キッズ・デバイス情報と同じであると判定したとき、第２の要求を申請した第２のデバイスがキッズ・モードでネットワークにアクセスすると指定するか、または、第２のデバイスに関する情報が当該キッズ・デバイス情報と異なると判定したとき、ゲスト・モードでネットワークにアクセスすることを申請した第２のデバイスがゲスト・モードでネットワークにアクセスすることを許可する。
【手続補正７】
【補正対象書類名】明細書
【補正対象項目名】００３４
【補正方法】変更
【補正の内容】
【００３４】
本発明の諸実施形態における技術的解決策をより明確に説明するために、以下では当該実施形態を説明するために必要な添付図面を簡単に説明する。明らかに、以下の説明における添付図面は本発明の幾つかの実施形態を示すにすぎず、および当業者は依然として創造的努力なしにこれらの添付図面から他の図面を導出することができる。
【手続補正８】
【補正対象書類名】明細書
【補正対象項目名】００３６
【補正方法】変更
【補正の内容】
【００３６】
以下で、本発明の諸実施形態における添付図面を参照して本発明の諸実施形態における技術的解決策を明確に説明する。明らかに、説明した実施形態は本発明の諸実施形態の一部であり全部ではない。当業者が創造的努力なしに本発明の諸実施形態に基づいて得た他の全ての実施形態は本発明の保護範囲に入るものとする。
【手続補正９】
【補正対象書類名】明細書
【補正対象項目名】００５２
【補正方法】変更
【補正の内容】
【００５２】
サーバ３０３は、当該所定の範囲において識別特徴認識デバイス３０２により決定された当該人のアイデンティティを取得し、当該所定の範囲内に非家族構成員がいるとき、ゲスト・モードを有効にする命令をルータ３０４に送信するか、または当該所定の範囲内に子供がいるとき、キッズ・モードを有効にする命令をルータ３０４に送信するように構成される。
【手続補正１０】
【補正対象書類名】明細書
【補正対象項目名】００６５
【補正方法】変更
【補正の内容】
【００６５】
家族構成員識別特徴およびホーム・デバイス情報が前もって一度だけ格納される必要があり、次いで、家族構成員が当該格納された家族構成員特徴およびホーム・デバイス情報を要件に従って修正してもよいことにさらに留意すべきである。
【手続補正１１】
【補正対象書類名】明細書
【補正対象項目名】０１０２
【補正方法】変更
【補正の内容】
【０１０２】
８０６：第２のデバイスに関する情報が当該キッズ・デバイス情報と異なると判定したとき、ゲスト・モードでネットワークにアクセスすることを申請した第２のデバイスがゲスト・モードでネットワークにアクセスすることを許可する。
【手続補正１２】
【補正対象書類名】明細書
【補正対象項目名】０１２３
【補正方法】変更
【補正の内容】
【０１２３】
本発明の当該実施形態で提供するルータの送信電力を調節するための方法によれば、ルータの送信電力を調節するために、ネットワークにアクセスするデバイスの数がルータを用いることによって検出され、当該デバイスの数が第１のデバイス所定値以上であるとき、第１の送信電力、即ち、相対的に高い送信電力が有効にされ、ルータを用いることによって複数のデバイスがネットワークに接続されるときにネットワーク信号が強く安定であることが保証され、当該デバイスの数が第１のデバイス所定値より小さく、第２のデバイス所定値より大きいとき、第２の送信電力が有効にされ、家の中のデバイスがルータを用いることによってネットワークに接続される基本要件が保証されるか、または、当該デバイスの数が第２のデバイス所定値以下であるとき、第３の送信電力が有効にされ、即ち、人がいないかまたは人が殆どいない場合、エネルギ消費が減る。要件に従ってルータの送信電力を調節する方法において、ホーム・ネットワークのセキュリティが保証される間に、相対的に多数のデバイスがあるとき信号品質が保証され、相対的に少数のデバイスがあるときエネルギ消費も減る。相対的に多数のデバイスがあるとき、相対的に高い電力が有効にされ、相対的に少数のデバイスがあるとき、相対的に低い送信電力が有効にされ、信号品質を保証しつつ、さらに人体へのネットワーク・デバイスの放射を減らすことができる。
【手続補正１３】
【補正対象書類名】明細書
【補正対象項目名】０１４０
【補正方法】変更
【補正の内容】
【０１４０】
認証ユニット１６はさらに、第２のデバイスに関する情報が当該キッズ・デバイス情報と同じであると判定したとき、第２の要求を申請した第２のデバイスがキッズ・モードでネットワークにアクセスすると指定するか、または、第２のデバイスに関する情報が当該キッズ・デバイス情報と異なると判定したとき、ゲスト・モードでネットワークにアクセスすることを申請した第２のデバイスは、元々申請されたモードに従ってネットワークにアクセスするのを許可するように構成される。
【手続補正１４】
【補正対象書類名】明細書
【補正対象項目名】０１６７
【補正方法】変更
【補正の内容】
【０１６７】
プロセッサ３３はさらに、第２のデバイスに関する情報を当該キッズ・デバイス情報と比較するように構成され、第２のデバイスに関する情報が当該キッズ・デバイス情報と同じであると判定したとき、第２の要求を申請した第２のデバイスがキッズ・モードでネットワークにアクセスすると指定し、または第２のデバイスに関する情報が当該キッズ・デバイス情報と異なると判定したとき、ゲスト・モードでネットワークにアクセスすることを申請した第２のデバイスがゲスト・モードでネットワークにアクセスすることを許可する。
【手続補正１５】
【補正対象書類名】特許請求の範囲
【補正対象項目名】全文
【補正方法】変更
【補正の内容】
【特許請求の範囲】
【請求項１】
ネットワーク・モードを調節するための方法であって、前記方法はルータに適用され、前記方法は、
所定の範囲内の個人識別情報を取得するステップであって、前記個人識別情報は前記所定の範囲内の全員の個人識別特徴を含む、ステップと、
前記個人識別特徴に従って、前記所定の範囲内に非家族構成員がいると判定したとき、ゲスト・モードを有効にするステップと、
を含む、方法。
【請求項２】
所定の範囲内の個人識別情報を取得する前に、前記方法はさらに家族構成員識別特徴を格納するステップを含み、
前記個人識別特徴に従って、前記所定の範囲内に非家族構成員がいると判定したときゲスト・モードを有効にするステップは、
前記個人識別特徴を各家族構成員識別特徴と比較し各家族構成員識別特徴と異なる個人識別特徴が前記個人識別特徴に存在するとき、前記ゲスト・モードを有効にするステップ
を含む、請求項１に記載のネットワーク・モードを調節するための方法。
【請求項３】
所定の範囲内の個人識別情報を取得する前に、前記方法はさらに、
ホーム・デバイス情報を格納するステップを含み、前記ホーム・デバイス情報はホーム・アダルト・デバイス情報およびホーム・キッズ・デバイス情報を含む、請求項１に記載のネットワーク・モードを調節するための方法。
【請求項４】
前記個人識別特徴に従って、前記所定の範囲内に非家族構成員がいると判定したとき、ゲスト・モードを有効にした後、前記方法はさらに、
第１の要求を受信するステップであって、前記第１の要求はホーム・モードでネットワークにアクセスすることを申請した第１のデバイスに関する情報を含む、ステップと、
前記第１のデバイスに関する前記情報を前記ホーム・デバイス情報と比較するステップと、
前記第１のデバイスに関する前記情報が前記ホーム・デバイス情報に存在すると判定したとき、前記ホーム・モードで前記ネットワークにアクセスすることを申請した前記第１のデバイスが前記ホーム・モードで前記ネットワークにアクセスすることを許可するステップ、または
前記第１のデバイスに関する前記情報が前記ホーム・デバイス情報に存在しないと判定したとき、前記ホーム・モードで前記ネットワークにアクセスすることを申請した前記第１のデバイスが前記ホーム・モードで前記ネットワークにアクセスすることを禁止するステップと、
を含む、請求項３に記載のネットワーク・モードを調節するための方法。
【請求項５】
前記家族構成員識別特徴は家族アダルト識別特徴および家族キッズ識別特徴を含み、所定の範囲内の全ての個人識別情報を取得した後、前記方法はさらに、
前記個人識別特徴を各家族構成員識別特徴と比較し前記家族キッズ識別特徴が前記個人識別特徴に存在するとき、キッズ・モードを有効にするステップであって、前記キッズ・モードは所定のネットワークおよびアプリケーションのみにアクセスできるモードである、ステップ
を含む、請求項２乃至４の何れか１項に記載のネットワーク・モードを調節するための方法。
【請求項６】
前記第１のデバイスに関する前記情報を前記ホーム・デバイス情報と比較した後、前記方法はさらに、
前記第１のデバイスに関する前記情報が前記ホーム・アダルト・デバイス情報に存在すると判定したとき、前記ホーム・モードで前記ネットワークにアクセスすることを申請した前記第１のデバイスが前記ホーム・モードで前記ネットワークにアクセスすることを許可するステップと、
前記第１のデバイスに関する前記情報が前記ホーム・キッズ・デバイス情報に存在すると判定したとき、前記ホーム・モードで前記ネットワークにアクセスすることを申請した前記第１のデバイスが前記キッズ・モードで前記ネットワークにアクセスするように指示するステップ、または
前記第１のデバイスに関する前記情報が前記ホーム・デバイス情報に存在せず、前記ホーム・キッズ・デバイス情報に存在しないと判定したとき、前記ホーム・モードで前記ネットワークにアクセスすることを申請した前記第１のデバイスが前記ホーム・モードで前記ネットワークにアクセスすることを禁止するステップ
を含む、請求項５に記載のネットワーク・モードを調節するための方法。
【請求項７】
前記個人識別特徴を各家族構成員識別特徴と比較し、前記キッズ識別特徴が前記個人識別特徴に存在するときキッズ・モードを有効にした後、前記方法はさらに、
第２の要求を受信するステップであって、前記第２の要求は前記ゲスト・モードで前記ネットワークにアクセスすることを申請した第２のデバイスに関する情報を含む、ステップと、
前記第２のデバイスに関する前記情報を前記キッズ・デバイス情報と比較するステップと、
前記第２のデバイスに関する前記情報が前記キッズ・デバイス情報と同じであると判定したとき、前記第２の要求を申請した前記第２のデバイスが前記キッズ・モードで前記ネットワークにアクセスすることを指定するステップ、または
前記第２のデバイスに関する前記情報が前記キッズ・デバイス情報と異なると判定したとき、前記ゲスト・モードで前記ネットワークにアクセスすることを申請した前記第２のデバイスが前記ゲスト・モードで前記ネットワークにアクセスすることを許可するステップと、
を含む、請求項５に記載のネットワーク・モードを調節するための方法。
【請求項８】
前記所定の範囲内の前記個人識別情報はさらに所定期間における前記所定の範囲内の人数を含み、前記所定の範囲内の個人識別情報を取得した後、前記方法はさらに、
前記人数が第１の人数所定値以上であるとき第１の送信電力を有効にするステップと、
前記人数が前記第１の人数所定値より小さく、第２の人数所定値より大きいとき、第２の送信電力を有効にするステップ、または
前記人数が第３の人数所定値より小さいとき、第３の送信電力を有効にするステップと、
を含む、請求項１に記載のネットワーク・モードを調節するための方法。
【請求項９】
前記方法はさらに、
前記ルータを用いて前記ネットワークにアクセスするデバイスの数を検出するステップと、
前記デバイスの数が第１のデバイス所定値以上であるとき、第１の送信電力を有効にするステップと、
前記デバイスの数が前記第１のデバイス所定値より小さく、第２のデバイス所定値より大きいとき、第２の送信電力を有効にするステップ、または
前記デバイスの数が第３のデバイス所定値以下であるとき、第３の送信電力を有効にするステップと、
を含む、請求項１乃至７の何れか１項に記載のネットワーク・モードを調節するための方法。
【請求項１０】
ネットワーク・モードを調節するための装置であって、前記装置はルータに適用され、
所定の範囲内の個人識別情報を取得するように構成された取得ユニットであって、前記個人識別情報は前記所定の範囲内の全員の個人識別特徴を含む、取得ユニットと、
前記取得ユニットにより取得された前記個人識別特徴に従って、前記所定の範囲内に非家族構成員がいると判定したとき、ゲスト・モードを有効にするように構成された有効化ユニットと、
を備える、装置。
【請求項１１】
前記装置はさらに記憶ユニットを備え、
前記記憶ユニットは家族構成員識別特徴を格納するように構成され、
前記有効化ユニットはさらに、前記取得ユニットにより取得された前記個人識別特徴を前記記憶ユニットに格納された各家族構成員識別特徴と比較し、前記各家族構成員識別特徴と異なる個人識別特徴が前記個人識別特徴に存在するとき、前記ゲスト・モードを有効にするように構成される、
請求項１０に記載のネットワーク・モードを調節するための装置。
【請求項１２】
前記記憶ユニットはさらにホーム・デバイス情報を格納するように構成され、前記ホーム・デバイス情報はホーム・アダルト・デバイス情報およびホーム・キッズ・デバイス情報を含む、請求項１０に記載のネットワーク・モードを調節するための装置。
【請求項１３】
前記装置はさらに、受信ユニット、比較ユニット、および認証ユニットを備え、
前記受信ユニットは前記有効化ユニットが前記ゲスト・モードを有効にした後、第１の要求を受信するように構成され、前記第１の要求はホーム・モードでネットワークにアクセスすることを申請した第１のデバイスに関する情報を含み、
前記比較ユニットは前記第１のデバイスに関する前記情報を前記記憶ユニットに格納された前記ホーム・デバイス情報を比較するように構成され、
前記認証ユニットは、前記第１のデバイスに関する前記情報が前記ホーム・デバイス情報に存在すると判定したとき、前記ホーム・モードで前記ネットワークにアクセスすることを申請した前記第１のデバイスが前記ホーム・モードで前記ネットワークにアクセスすることを許可し、または前記第１のデバイスに関する前記情報が前記ホーム・デバイス情報に存在しないと判定したとき、前記ホーム・モードで前記ネットワークにアクセスすることを申請した前記第１のデバイスが前記ホーム・モードで前記ネットワークにアクセスすることを禁止するように構成される、
請求項１２に記載のネットワーク・モードを調節するための装置。
【請求項１４】
前記家族構成員識別特徴は家族アダルト識別特徴および家族キッズ識別特徴を含み、
前記有効化ユニットはさらに、前記取得ユニットにより取得された前記個人識別特徴を前記記憶ユニットに格納された各家族構成員識別特徴と比較し、前記キッズ識別特徴が前記個人識別特徴に存在するとき、キッズ・モードを有効にするように構成され、前記キッズ・モードは所定のネットワークおよびアプリケーションのみにアクセスできるモードである、
請求項１１乃至１３の何れか１項に記載のネットワーク・モードを調節するための装置。
【請求項１５】
前記認証ユニットはさらに、前記第１のデバイスに関する前記情報が前記ホーム・アダルト・デバイス情報に存在すると判定したとき、前記ホーム・モードで前記ネットワークにアクセスすることを申請した前記第１のデバイスが前記ホーム・モードで前記ネットワークにアクセスすることを許可し、前記第１のデバイスに関する前記情報が前記ホーム・キッズ・デバイス情報に存在すると判定したとき、前記ホーム・モードで前記ネットワークにアクセスすることを申請した前記第１のデバイスが前記キッズ・モードで前記ネットワークにアクセスするように指示するか、または、前記第１のデバイスに関する前記情報が前記ホーム・アダルト・デバイス情報に存在せず、前記ホーム・キッズ・デバイス情報に存在しないと判定したとき、前記ホーム・モードで前記ネットワークにアクセスすることを申請した前記第１のデバイスが前記ホーム・モードで前記ネットワークにアクセスすることを禁止するように構成される、請求項１４に記載のネットワーク・モードを調節するための装置。
【請求項１６】
前記受信ユニットはさらに、前記有効化ユニットが前記キッズ・モードを有効にした後、第２の要求を受信するように構成され、前記第２の要求は前記ゲスト・モードで前記ネットワークにアクセスすることを申請した第２のデバイスに関する情報を含み、
前記比較ユニットはさらに、前記第２のデバイスに関する前記情報を前記キッズ・デバイス情報と比較するように構成され、
前記認証ユニットはさらに、前記第２のデバイスに関する前記情報が前記キッズ・デバイス情報と同じであると判定したとき、前記第２の要求を申請した前記第２のデバイスが前記キッズ・モードで前記ネットワークにアクセスすると指定し、または前記第２のデバイスに関する前記情報が前記キッズ・デバイス情報と異なると判定したとき、前記ゲスト・モードで前記ネットワークにアクセスすることを申請した前記第２のデバイスが前記ゲスト・モードで前記ネットワークにアクセスすることを許可するように構成される、
請求項１４または１５に記載のネットワーク・モードを調節するための装置。
【請求項１７】
前記所定の範囲内の前記個人識別情報はさらに所定期間における前記所定の範囲内の人数を含み、
前記装置はさらに、第１の電力有効化ユニットを備え、
前記第１の電力有効化ユニットは、前記人数が第１の人数所定値以上であるとき、第１の送信電力を有効にし、前記人数が前記第１の人数所定値より小さく、第２の人数所定値より大きいとき、第２の送信電力を有効にし、または前記人数が第３の人数所定値以下であるとき、第３の送信電力を有効にするように構成される、
請求項１０乃至１６の何れか１項に記載のネットワーク・モードを調節するための装置。
【請求項１８】
前記装置はさらに検出ユニットおよび第２の電力有効化ユニットを備え、
前記検出ユニットは前記ルータを用いて前記ネットワークにアクセスするデバイスの数を検出するように構成され、
前記第２の電力有効化ユニットは、前記デバイスの数が第１のデバイス所定値以上であるとき、第１の送信電力を有効にし、前記デバイスの数が前記第１のデバイス所定値より小さく、第２のデバイス所定値より大きいとき、第２の送信電力を有効にし、または前記デバイスの数が第３のデバイス所定値以下であるとき、第３の送信電力を有効にするように構成される、
請求項１０乃至１６の何れか１項に記載のネットワーク・モードを調節するための装置。
【請求項１９】
ネットワーク・モードを調節するための装置であって、前記装置はルータに適用され、前記方法は、
プログラム命令を含む情報を格納するように構成されたメモリと、
所定の範囲内の個人識別情報を取得するように構成された受信器であって、前記個人識別情報は前記所定の範囲内の全員の個人識別特徴を含む、受信器と、
前記メモリおよび前記受信器に接続され、前記プログラム命令の実行を制御するように構成され、特に、前記個人識別特徴に従って、前記所定の範囲内に非家族構成員がいると判定したとき、ゲスト・モードを有効にするように構成されたプロセッサと、
を備える、装置。
【請求項２０】
前記メモリはさらに家族構成員識別特徴を格納するように構成され、
前記プロセッサはさらに、前記個人識別特徴を各家族構成員識別特徴と比較し、各家族構成員識別特徴と異なる個人識別特徴が前記個人識別特徴に存在するとき、前記ゲスト・モードを有効にするように構成される、
請求項１９に記載のネットワーク・モードを調節するための装置。
【請求項２１】
前記メモリはさらにホーム・デバイス情報を格納するように構成され、前記ホーム・デバイス情報はホーム・アダルト・デバイス情報およびホーム・キッズ・デバイス情報を含む、請求項１９または２０に記載のネットワーク・モードを調節するための装置。
【請求項２２】
前記受信器はさらに第１の要求を受信するように構成され、前記第１の要求はホーム・モードでネットワークにアクセスすることを申請した第１のデバイスに関する情報を含み、
前記プロセッサはさらに、前記第１のデバイスに関する前記情報を前記ホーム・デバイス情報と比較し、前記第１のデバイスに関する前記情報が前記ホーム・デバイス情報に存在すると判定したとき、前記ホーム・モードで前記ネットワークにアクセスすることを申請した前記第１のデバイスが前記ホーム・モードで前記ネットワークにアクセスすることを許可し、または前記第１のデバイスに関する前記情報が前記ホーム・デバイス情報に存在しないと判定したとき、前記ホーム・モードで前記ネットワークにアクセスすることを申請した前記第１のデバイスが前記ホーム・モードで前記ネットワークにアクセスすることを禁止するように構成される、
請求項２１に記載のネットワーク・モードを調節するための装置。
【請求項２３】
前記家族構成員識別特徴は家族アダルト識別特徴および家族キッズ識別特徴を含み、
前記プロセッサはさらに、前記個人識別特徴を各家族構成員識別特徴と比較し、前記キッズ識別特徴が前記個人識別特徴に存在するとき、キッズ・モードを有効にするように構成され、前記キッズ・モードは所定のネットワークおよびアプリケーションのみにアクセスできるモードである、
請求項２０乃至２２の何れか１項に記載のネットワーク・モードを調節するための装置。
【請求項２４】
前記プロセッサはさらに、前記第１のデバイスに関する前記情報を前記ホーム・デバイス情報と比較した後、前記第１のデバイスに関する前記情報が前記ホーム・アダルト・デバイス情報に存在すると判定したとき、前記ホーム・モードで前記ネットワークにアクセスすることを申請した前記第１のデバイスが前記ホーム・モードで前記ネットワークにアクセスすることを許可し、前記第１のデバイスに関する前記情報が前記ホーム・キッズ・デバイス情報に存在すると判定したとき、前記ホーム・モードで前記ネットワークにアクセスすることを申請した前記第１のデバイスが前記キッズ・モードで前記ネットワークにアクセスするように指示するか、または、前記第１のデバイスに関する前記情報が前記ホーム・アダルト・デバイス情報に存在せず、前記ホーム・キッズ・デバイス情報に存在しないと判定したとき、前記ホーム・モードで前記ネットワークにアクセスすることを申請した前記第１のデバイスが前記ホーム・モードで前記ネットワークにアクセスすることを禁止するように構成される、請求項２３に記載のネットワーク・モードを調節するための装置。
【請求項２５】
前記受信器はさらに第２の要求を受信するように構成され、前記第２の要求は前記ゲスト・モードで前記ネットワークにアクセスすることを申請した第２のデバイスに関する情報を含み、
前記プロセッサはさらに、前記第２のデバイスに関する前記情報を前記キッズ・デバイス情報と比較し、前記第２のデバイスに関する前記情報が前記キッズ・デバイス情報と同じであると判定したとき、前記第２の要求を申請した前記第２のデバイスが前記キッズ・モードで前記ネットワークにアクセスすると指定し、または前記第２のデバイスに関する前記情報が前記キッズ・デバイス情報と異なると判定したとき、前記ゲスト・モードで前記ネットワークにアクセスすることを申請した前記第２のデバイスが前記ゲスト・モードで前記ネットワークにアクセスすることを許可するように構成される、
請求項２３または２４に記載のネットワーク・モードを調節するための装置。
【請求項２６】
前記所定の範囲内の前記個人識別情報はさらに所定期間における前記所定の範囲内の人数を含み、
前記プロセッサはさらに、前記人数が第１の人数所定値以上であるとき、第１の送信電力を有効にし、前記人数が前記第１の人数所定値より小さく、第２の人数所定値より大きいとき、第２の送信電力を有効にし、または前記人数が第３の人数所定値以下であるとき、第３の送信電力を有効にするように構成される、
請求項１９乃至２５の何れか１項に記載のネットワーク・モードを調節するための装置。
【請求項２７】
前記プロセッサはさらに、前記ルータを用いて前記ネットワークにアクセスするデバイスの数を検出し、前記デバイスの数が第１のデバイス所定値以上であるとき、第１の送信電力を有効にし、前記デバイスの数が前記第１のデバイス所定値より小さく第２の所定値より大きいとき、第２の送信電力を有効にし、または、前記デバイスの数が第３のデバイス所定値以下であるとき、第３の送信電力を有効にするように構成される、
請求項１９乃至２５の何れか１項に記載のネットワーク・モードを調節するための装置。
【請求項２８】
コンピュータ・プログラム・コードを含み、計算ユニットが前記コンピュータ・プログラム・コードを実行したとき、前記計算ユニットは請求項１乃至９の何れか１項に記載の方法を実行する、コンピュータ・プログラム製品。
【国際調査報告】
2018501724.tif 000020
2018501724.tif 000021
2018501724.tif 000022
2018501724.tif 000023